(57)【特許請求の範囲】
【請求項１】
切替方法であって、
第１の端末機器がリンクの測定結果を取得し、ただし前記リンクは、前記第１の端末機器と第１のネットワーク機器との間のリンク、及び前記第１のネットワーク機器と第２の端末機器との間のリンクを含むことと、
前記第１の端末機器が、前記測定結果に基づき、前記第１の端末機器の第１の切替方式及び／又は前記第２の端末機器の第２の切替方式を確定することとを含み、
前記第１の端末機器は中継端末機器であり、前記第２の端末機器は遠隔端末機器であり、
前記第１の端末機器が前記測定結果に基づき、前記第１の端末機器の第１の切替方式及び／又は前記第２の端末機器の第２の切替方式を確定することは、前記第１の端末機器が前記測定結果に基づき、前記第１の端末機器と前記第２の端末機器との間でリンク接続を保持するか否かを確定することと、前記第１の端末機器が前記第１の端末機器と前記第２の端末機器との間でリンク接続を保持するか否かに基づき、前記第１の切替方式及び／又は前記第２の切替方式を確定することとを含み、
前記第１の端末機器が前記第１の端末機器と前記第２の端末機器との間でリンク接続を保持することを確定した場合、前記第１の端末機器が前記第１の切替方式を実行し且つ前記第２の端末機器が前記第２の切替方式を実行した後、前記第１の端末機器及び前記第２の端末機器は同一のネットワーク機器によってカバーされるセルに配置されることを特徴とする切替方法。
【請求項２】
前記リンクはさらに、前記第１の端末機器と前記第２の端末機器との間のリンクを含むことを特徴とする請求項１に記載の方法。
【請求項３】
前記方法はさらに、
前記第１の端末機器が前記第２の端末機器に対して切替コマンドを送信することを含み、前記切替コマンドは、前記第２の切替方式を実行するように前記第２の端末機器に指示するために用いられることを特徴とする請求項１又は請求項２に記載の方法。
【請求項４】
前記第１の端末機器が前記測定結果に基づき、前記第１の端末機器の第１の切替方式及び／又は前記第２の端末機器の第２の切替方式を確定することは、
前記第１の端末機器が前記第１の端末機器及び前記第２の端末機器の状態、及び前記測定結果に基づき、前記第１の切替方式及び／又は前記第２の切替方式を確定することを含むことを特徴とする請求項１から請求項３のいずれか一項に記載の方法。
【請求項５】
前記第１の端末機器が接続状態である場合、前記第１の切替方式は、前記第１の端末機器を前記第１のネットワーク機器によってカバーされるセルから第２のネットワーク機器によってカバーされるセルに切り替える、又は前記第１の端末機器がセルの切替を行わないことを含み、
前記第１の端末機器が非アクティブ状態又はアイドル状態である場合、前記第１の切替方式は、前記第１の端末機器が前記第２のネットワーク機器によってカバーされるセルをアクセス先セルとして再選択する、又は前記第１の端末機器がセルの再選択を行わないことを含み、
前記第２の端末機器が接続状態である場合、前記第２の切替方式は、前記第２の端末機器を前記第１のネットワーク機器によってカバーされるセルから前記第２のネットワーク機器によってカバーされるセルもしくは他のネットワーク機器によってカバーされるセルに切り替える、又は前記第２の端末機器がセルの切替を行わないことを含み、
前記第２の端末機器が非アクティブ状態又はアイドル状態である場合、前記第２の切替方式は、前記第２の端末機器が前記第２のネットワーク機器によってカバーされるセルもしくは他のネットワーク機器によってカバーされるセルをアクセス先セルとして再選択する、又は前記第２の端末機器がセルの再選択を行わないことを含むことを特徴とする請求項４に記載の方法。
【請求項６】
前記第１の端末機器が前記測定結果に基づき、前記第１の端末機器の第１の切替方式及び／又は前記第２の端末機器の第２の切替方式を確定する前に、前記方法はさらに、
前記第１の端末機器が前記第１の端末機器と前記第２の端末機器との間の関連情報を取得することを含み、前記関連情報は前記第１の端末機器と前記第２の端末機器との間のペアリング関係又は接続関係を含み、
前記第１の端末機器が前記測定結果に基づき、前記第１の端末機器の第１の切替方式及び／又は前記第２の端末機器の第２の切替方式を確定することは、
前記第１の端末機器が前記関連情報及び前記測定結果に基づき、前記第１の切替方式及び／又は前記第２の切替方式を確定することを含むことを特徴とする請求項１から請求項５のいずれか一項に記載の方法。
【請求項７】
前記第１の端末機器が接続状態である場合、前記方法はさらに、
前記第１の端末機器が前記第１のネットワーク機器に対して切替情報を送信することを含み、前記切替情報は、前記第１の切替方式の情報、前記第２の切替方式の情報及び前記測定結果のうちの少なくとも１種を含むことを特徴とする請求項１から請求項６のいずれか一項に記載の方法。
【請求項８】
前記第１の端末機器が前記測定結果に基づき、前記第１の端末機器の第１の切替方式及び／又は前記第２の端末機器の第２の切替方式を確定する前に、前記方法はさらに、
前記第１の端末機器が前記第１のネットワーク機器から送信される設定情報を受信することを含み、前記設定情報は、前記第１の端末機器の切替先セルの情報を優先して送信するように前記第１の端末機器に指示するために用いられ、前記切替先セルにより、前記第１の端末機器及び前記第２の端末機器は信号強度条件を満足し且つ同一のネットワーク機器によってカバーされるセルに配置されることを特徴とする請求項１から請求項７のいずれか一項に記載の方法。
【請求項９】
前記第１の端末機器がリンクの測定結果を取得することはさらに、
前記第１の端末機器が前記第１の端末機器と第２の端末機器との間のリンクの測定結果を確定する、又は
前記第１の端末機器が前記第２の端末機器から送信される前記第１の端末機器と前記第２の端末機器との間のリンクの測定結果を受信することを含むことを特徴とする請求項１から請求項８のいずれか一項に記載の方法。
【請求項１０】
切替方法であって、
第２の端末機器がリンクの測定結果を取得し、ただし前記リンクは前記第２の端末機器と第１のネットワーク機器との間のリンクの測定結果を含むことと、
前記第２の端末機器が第１の端末機器に対して前記測定結果を送信し、ただし前記測定結果は前記第１の端末機器が前記第２の端末機器の第２の切替方式を確定するために用いられることと、
前記第２の端末機器が前記第１の端末機器から送信される切替コマンドを受信し、前記切替コマンドに基づき、前記第２の切替方式を実行することとを含み、
前記第１の端末機器は中継端末機器であり、前記第２の端末機器は遠隔端末機器であり、
前記第１の端末機器が前記第２の端末機器の第２の切替方式を確定することは、前記第１の端末機器が前記測定結果、及び前記第１の端末機器と前記第１のネットワーク機器との間のリンクの測定結果に基づき、前記第１の端末機器と前記第２の端末機器との間でリンク接続を保持するか否かを確定することと、前記第１の端末機器が前記第１の端末機器と前記第２の端末機器との間でリンク接続を保持するか否かに基づき、前記第２の切替方式を確定することとを含み、
前記第１の端末機器が前記第１の端末機器と前記第２の端末機器との間でリンク接続を保持することを確定した場合、前記第２の端末機器が前記第２の切替方式を実行した後、前記第２の端末機器及び前記第１の端末機器は同一のネットワーク機器によってカバーされるセルに配置されることを特徴とする切替方法。
【請求項１１】
前記第１の端末機器が第１の端末機器と前記第２の端末機器との間でリンク接続を保持しないことを確定した場合、前記方法はさらに、
前記第２の端末機器が前記第１の端末機器から送信される解放指示情報を受信し、前記解放指示情報に基づき、前記第１の端末機器との間のリンク接続を解放することを含むことを特徴とする請求項１０に記載の方法。
【請求項１２】
前記リンクの測定結果は、前記リンクのリンク品質の測定結果、及び／又は前記リンクのリンク状態の測定結果を含むことを特徴とする請求項１０又は請求項１１に記載の方法。
【請求項１３】
前記第２の端末機器が前記第１の端末機器に対して前記測定結果を送信することは、
前記第２の端末機器が前記第１の端末機器に対して、適合層又はダイレクトインタフェースプロトコルスタックＰＣ５に運ばれた前記測定結果を送信することを含むことを特徴とする請求項１０から請求項１２のいずれか一項に記載の方法。
【請求項１４】
切替方法であって、
第１のネットワーク機器が第１の端末機器から送信される切替情報を受信し、ただし前記切替情報は、前記第１の端末機器によって確定される前記第１の端末機器の第１の切替方式、第２の端末機器の第２の切替方式及びリンクの測定結果を含み、前記リンクは、前記第１の端末機器と前記第１のネットワーク機器との間のリンク、及び前記第２の端末機器と前記第１のネットワーク機器との間のリンクを含み、前記第１の端末機器は中継端末機器であり、前記第２の端末機器は遠隔端末機器であり、前記第１の端末機器の前記第１の切替方式及び前記第２の端末機器の前記第２の切替方式は以下の方法によって確定され、前記第１の端末機器が前記測定結果に基づき、前記第１の端末機器と前記第２の端末機器との間でリンク接続を保持するか否かを確定し、前記第１の端末機器が前記第１の端末機器と前記第２の端末機器との間でリンク接続を保持するか否かに基づき、前記第１の端末機器の前記第１の切替方式及び前記第２の端末機器の前記第２の切替方式を確定することと、
前記第１のネットワーク機器が前記切替情報に基づき、前記第１の切替方式及び／又は前記第２の切替方式に対して確認することにより、前記第１の端末機器が前記第１の端末機器と前記第２の端末機器との間でリンク接続を保持することを確定した場合、前記第２の端末機器が前記第２の切替方式を実行した後、前記第２の端末機器及び前記第１の端末機器は同一のネットワーク機器によってカバーされるセルに配置されることとを含む
ことを特徴とする切替方法。
【請求項１５】
前記第１の切替方式は、前記第１の端末機器を前記第１のネットワーク機器によってカバーされるセルから第２のネットワーク機器によってカバーされるセルに切り替える、又は前記第１の端末機器がセルの切替を行わないことを含み、
前記第２の切替方式は、前記第２の端末機器が前記第２のネットワーク機器によってカバーされるセルもしくは他のネットワーク機器によってカバーされるセルをアクセス先セルとして再選択する、又は前記第２の端末機器がセルの切替を行わないことを含むことを特徴とする請求項１４に記載の方法。
【発明の詳細な説明】
【技術分野】
【０００１】
本願の実施例は、無線通信の分野に関し、具体的には、切替方法、端末機器及びネットワーク機器に関する。
【背景技術】
【０００２】
従来の無線通信システムにおいて、遠隔端末（Ｒｅｍｏｔｅ  Ｕｓｅｒ  Ｅｑｕｉｐｍｅｎｔ、「Ｒｅｍｏｔｅ  ＵＥ」と略称する）、例えばウェアラブル機器は中継端末、例えば従来の一般的な携帯電話端末（Ｒｅｌａｙ  Ｕｓｅｒ  Ｅｑｕｉｐｍｅｎｔ、「Ｒｅｌａｙ  ＵＥ」と略称する）を介してデータの伝送を行うことができる。図１に示すように、中継端末は遠隔端末がデータの伝送を完了するように助けることができる。また、図２（ａ）及び図２（ｂ）に示すように、中継端末と遠隔端末は、同一の基地局又は異なる基地局を介してコントロールプレーン接続を確立することができ、また中継端末は遠隔端末がデータの転送を完了するように助ける。この場合、もし中継端末又は遠隔端末が移動するのであれば、データの伝送における連続性を保証するために、基地局の切替が要求される。
【０００３】
しかしながら、実際に適用される場合、中継端末と遠隔端末は同一の場所に配置される、例えばどちらもユーザに携帯される可能性が高い。この場合、両者は同一の方向かつ同一の速度で同時に移動する可能性が高く、移動する過程においてセルの切替が必要である場合、従来の一般的なやり方として、基地局が２つの端末機器に対してそれぞれ切替を行うことである。これにより、２つの端末が異なる基地局によってカバーされるセルに切り替えられる場合、中継端末と遠隔端末との間の中継伝送に大きな影響を与える。
【発明の概要】
【発明が解決しようとする課題】
【０００４】
本願の実施例は、中継端末及び遠隔端末にセルの切替が行われた後に、中継端末と遠隔端末との間で効果的な中継伝送を続行できる、切替方法、端末機器及びネットワーク機器を提供する。
【課題を解決するための手段】
【０００５】
第１の態様として、切替方法を提供し、当該方法は、第１の端末機器がリンクの測定結果を取得し、ただし前記リンクは、前記第１の端末機器と第１のネットワーク機器との間のリンク、及び前記第１のネットワーク機器と第２の端末機器との間のリンクを含むことと、前記第１の端末機器が前記測定結果に基づき、前記第１の端末機器の第１の切替方式及び／又は前記第２の端末機器の第２の切替方式を確定することとを含む。
【０００６】
従って、端末機器は、中継端末機器のリンク情報及び遠隔端末機器のリンク情報を取得して、２つの端末機器の切替方式を決定することにより、２つの端末機器はセルの切替又はセルの再選択が行われた後に、可能な限り同一のネットワーク機器によってカバーされるセルに配置される。これにより、中継端末及び遠隔端末がセルの切替を行った後に、中継端末と遠隔端末との間で効果的な中継伝送を続行することができる。
【０００７】
さらに、第１の切替方式及び第２の切替方式は端末機器によって確定されるため、端末機器が非アクティブ状態又はアイドル状態である場合、端末機器はネットワーク機器を介することなく、自らで切替方式を確定できるため、端末機器間のサービスの連続性がよりよく保証される。
【０００８】
複数のリンクの測定結果が総合的に考慮されるため、第１のネットワーク機器は、第１の端末機器及び第２の端末機器に対して、可能な限り同一のネットワーク機器によってカバーされるセルを、切替先セル又は再選択されるアクセス先セルとして選択することができる。例えば、もし第１の端末機器と第２の端末機器との間でサービスデータのインタラクションが行われるのであれば、当該２つの端末機器が移動する過程においてセルの切替を行う必要がある場合、第１のネットワーク機器は、第１の切替方式及び第２の切替方式を確定する時、２つの端末機器のそれぞれのリンク測定結果に基づき、第１の端末機器及び第２の端末機器に対して、可能な限り同一のネットワーク機器によってカバーされるセルを切替先セルとして選択し、これによって端末機器におけるサービスの連続性が保証されるが、切替後の信号強度は必ずしも最良であるとは限らない。
【０００９】
第１の態様の一つの実現形態において、前記リンクはさらに、前記第１の端末機器と前記第２の端末機器との間のリンクを含む。
【００１０】
第１の態様の一つの実現形態において、前記方法はさらに、前記第１の端末機器が前記第２の端末機器に対して切替コマンドを送信することを含み、前記切替コマンドは前記第２の切替方式を実行するように前記第２の端末機器に指示するために用いられる。
【００１１】
第１の態様の一つの実現形態において、前記第１の端末機器が前記測定結果に基づき、前記第１の端末機器の第１の切替方式及び／又は前記第２の端末機器の第２の切替方式を確定することは、前記第１の端末機器が前記第１の端末機器及び前記第２の端末機器の状態、及び前記測定結果に基づき、前記第１の切替方式及び／又は前記第２の切替方式を確定することを含む。
【００１２】
第１の態様の一つの実現形態において、前記第１の端末機器が接続状態である場合、前記第１の切替方式は、前記第１の端末機器を前記第１のネットワーク機器によってカバーされるセルから第２のネットワーク機器によってカバーされるセルに切り替える、又は前記第１の端末機器がセルの切替を行わないことを含み、
前記第１の端末機器が非アクティブ状態又はアイドル状態である場合、前記第１の切替方式は、前記第１の端末機器が前記第２のネットワーク機器によってカバーされるセルをアクセス先セルとして再選択する、又は前記第１の端末機器がセルの再選択を行わないことを含み、
前記第２の端末機器が接続状態である場合、前記第２の切替方式は、前記第２の端末機器を前記第１のネットワーク機器によってカバーされるセルから前記第２のネットワーク機器によってカバーされるセルもしくは他のネットワーク機器によってカバーされるセルに切り替える、又は前記第２の端末機器がセルの切替を行わないことを含み、
前記第２の端末機器が非アクティブ状態又はアイドル状態である場合、前記第２の切替方式は、前記第２の端末機器が前記第２のネットワーク機器によってカバーされるセルもしくは他のネットワーク機器によってカバーされるセルをアクセス先セルとして再選択する、又は前記第２の端末機器はセルの再選択を行わないことを含む。
【００１３】
第１の態様の一つの実現形態において、前記第１の端末機器が前記測定結果に基づき、前記第１の端末機器の第１の切替方式及び／又は前記第２の端末機器の第２の切替方式を確定することは、前記第１の端末機器が前記測定結果に基づき、前記第１の端末機器と前記第２の端末機器との間でリンク接続を保持するか否かを確定することと、前記第１の端末機器が前記第１の端末機器と前記第２の端末機器との間でリンク接続を保持するか否かに基づき、前記第１の切替方式及び／又は前記第２の切替方式を確定することとを含む。
【００１４】
第１の態様の一つの実現形態において、前記第１の端末機器が前記第１の端末機器と前記第２の端末機器との間でリンク接続を保持することを確定した場合、前記第１の端末機器が前記第１の切替方式を実行し且つ前記第２の端末機器が前記第２の切替方式を実行した後、前記第１の端末機器及び前記第２の端末機器は同一のネットワーク機器によってカバーされるセルに配置される。
【００１５】
第１の態様の一つの実現形態において、前記第１の端末機器が前記第１の端末機器と前記第２の端末機器との間でリンク接続を保持しないことを確定した場合、前記方法はさらに、前記第１の端末機器が前記第２の端末機器に対して解放指示情報を送信することを含み、前記解放指示情報は前記第１の端末機器との間のリンク接続を解放するように前記第２の端末機器に指示するために用いられる。
【００１６】
第１の態様の一つの実現形態において、前記第１の端末機器が前記測定結果に基づき、前記第１の端末機器の第１の切替方式及び／又は前記第２の端末機器の第２の切替方式を確定する前に、前記方法はさらに、前記第１の端末機器が前記第１の端末機器と前記第２の端末機器との間の関連情報を取得することを含み、前記関連情報は前記第１の端末機器と前記第２の端末機器との間のペアリング関係又は接続関係を含み、
前記第１の端末機器が前記測定結果に基づき、前記第１の端末機器の第１の切替方式及び／又は前記第２の端末機器の第２の切替方式を確定することは、前記第１の端末機器が前記関連情報及び前記測定結果に基づき、前記第１の切替方式及び／又は前記第２の切替方式を確定することを含む。
【００１７】
第１の態様の一つの実現形態において、前記第１の端末機器が接続状態である場合、前記方法はさらに、前記第１の端末機器が前記第１のネットワーク機器に対して切替情報を送信することを含み、前記切替情報は、前記第１の切替方式の情報、前記第２の切替方式の情報及び前記測定結果のうちの少なくとも１種を含む。
【００１８】
第１の態様の一つの実現形態において、前記第１の端末機器が前記測定結果に基づき、前記第１の端末機器の第１の切替方式及び／又は前記第２の端末機器の第２の切替方式を確定する前に、前記方法はさらに、前記第１の端末機器が前記第１のネットワーク機器から送信される設定情報を受信することを含み、前記設定情報は、前記第１の端末機器の切替先セルの情報を優先して送信するように前記第１の端末機器に指示するために用いられ、前記切替先セルにより、前記第１の端末機器及び前記第２の端末機器は信号強度条件を満足し且つ同一のネットワーク機器によってカバーされるセルに配置される。
【００１９】
第１の態様の一つの実現形態において、前記第１の端末機器は中継端末機器であり、前記第２の端末機器は遠隔端末機器である、又は前記第１の端末機器は遠隔端末機器であり、前記第２の端末機器は中継端末機器である。
【００２０】
第１の態様の一つの実現形態において、前記リンクの測定結果は、前記リンクのリンク品質の測定結果、及び／又は前記リンクのリンク状態の測定結果を含む。
【００２１】
第１の態様の一つの実現形態において、前記第１の端末機器がリンクの測定結果を取得することは、前記第１の端末機器が前記第１の端末機器と前記第１のネットワーク機器との間のリンクの測定結果を確定し、前記第２の端末機器から送信される前記第１のネットワーク機器と前記第２の端末機器との間のリンクの測定結果を受信することを含む。
【００２２】
第１の態様の一つの実現形態において、前記第１の端末機器がリンクの測定結果を取得することはさらに、前記第１の端末機器が前記第１の端末機器と第２の端末機器との間のリンクの測定結果を確定する、又は前記第１の端末機器が前記第２の端末機器から送信される前記第１の端末機器と前記第２の端末機器との間のリンクの測定結果を受信することを含む。
【００２３】
第１の態様の一つの実現形態において、前記第１の端末機器がリンクの測定結果を取得することは、第１の端末機器が前記第２の端末機器から送信される、適合層又はダイレクトインタフェースプロトコルスタックＰＣ５に運ばれたリンクの測定結果を取得することを含む。
【００２４】
第２の態様として、切替方法を提供し、当該方法は、第２の端末機器がリンクの測定結果を取得し、ただし前記リンクは前記第２の端末機器と第１のネットワーク機器との間のリンクの測定結果を含むことと、前記第２の端末機器が前記第１の端末機器に対して前記測定結果を送信し、ただし前記測定結果は前記第１の端末機器が前記第２の端末機器の第２の切替方式を確定するために用いられることと、前記第２の端末機器が前記第１の端末機器から送信される切替コマンドを受信し、前記切替コマンドに基づき、前記第２の切替方式を実行することとを含む。
【００２５】
従って、端末機器は、別の端末機器に対して自身のリンク情報を報告することにより、別の端末機器は２つの端末機器のリンク情報に基づき２つの端末機器の切替方式を決定することができ、これにより、２つの端末機器はセルの切替又はセルの再選択が行われた後に、可能な限り同一のネットワーク機器によってカバーされるセルに配置される。これにより、中継端末及び遠隔端末はセルの切替を行った後、中継端末と遠隔端末との間で中継伝送を効果的に続行することができる。
【００２６】
さらに、第１の切替方式及び第２の切替方式は端末機器によって確定されるため、端末機器が非アクティブ状態又はアイドル状態である場合、端末機器はネットワーク機器を介することなく、自らで切替方式を確定できるため、端末機器間のサービスの連続性がよりよく保証される。
【００２７】
第２の態様の一つの実現形態において、前記リンクはさらに、前記第１の端末機器と前記第２の端末機器との間のリンクを含む。
【００２８】
第２の態様の一つの実現形態において、前記第１の端末機器が接続状態である場合、前記第１の切替方式は、前記第１の端末機器を前記第１のネットワーク機器によってカバーされるセルから第２のネットワーク機器によってカバーされるセルに切り替える、又は前記第１の端末機器がセルの切替を行わないことを含み、
前記第１の端末機器が非アクティブ状態又はアイドル状態である場合、前記第１の切替方式は、前記第１の端末機器が前記第２のネットワーク機器によってカバーされるセルをアクセス先セルとして再選択する、又は前記第１の端末機器がセルの再選択を行わないことを含み、
前記第２の端末機器が接続状態である場合、前記第２の切替方式は、前記第２の端末機器を前記第１のネットワーク機器によってカバーされるセルから前記第２のネットワーク機器によってカバーされるセルもしくは他のネットワーク機器によってカバーされるセルに切り替える、又は前記第２の端末機器はセルの切替を行わないことを含み、
前記第２の端末機器が非アクティブ状態又はアイドル状態である場合、前記第２の切替方式は、前記第２の端末機器が前記第２のネットワーク機器によってカバーされるセルもしくは他のネットワーク機器によってカバーされるセルをアクセス先セルとして再選択する、又は前記第２の端末機器がセルの再選択を行わないことを含む。
【００２９】
第２の態様の一つの実現形態において、前記第１の端末機器が前記第１の端末機器と前記第２の端末機器との間でリンク接続を保持することを確定した場合、前記第２の端末機器が前記第２の切替方式を実行した後、前記第２の端末機器及び前記第１の端末機器は同一のネットワーク機器によってカバーされるセルに配置される。
【００３０】
第２の態様の一つの実現形態において、前記第１の端末機器が第１の端末機器と前記第２の端末機器との間でリンク接続を保持しないことを確定した場合、前記方法はさらに、前記第２の端末機器が前記第１の端末機器から送信される解放指示情報を受信し、前記解放指示情報に基づき、前記第１の端末機器との間のリンク接続を解放することを含む。
【００３１】
第２の態様の一つの実現形態において、前記第１の端末機器は中継端末機器であり、前記第２の端末機器は遠隔端末機器である、又は前記第１の端末機器は遠隔端末機器であり、前記第２の端末機器は中継端末機器である。
【００３２】
第２の態様の一つの実現形態において、前記リンクの測定結果は、前記リンクのリンク品質の測定結果、及び／又は前記リンクのリンク状態の測定結果を含む。
【００３３】
第２の態様の一つの実現形態において、前記第２の端末機器が前記第１の端末機器に対して前記測定結果を送信することは、前記第２の端末機器が前記第１の端末機器に対して、適合層又はダイレクトインタフェースプロトコルスタックＰＣ５に運ばれた前記測定結果を送信することを含む。
【００３４】
第３の態様として、切替方法を提供し、当該方法は、第１のネットワーク機器が第１の端末機器から送信される切替情報を受信し、ただし前記切替情報は、前記第１の端末機器によって確定される前記第１の端末機器の第１の切替方式、第２の端末機器の第２の切替方式及びリンクの測定結果のうちの少なくとも１種を含み、前記リンクは、前記第１の端末機器と前記第１のネットワーク機器との間のリンク、及び前記第２の端末機器と前記第１のネットワーク機器との間のリンクを含むことと、前記第１のネットワーク機器が前記切替情報に基づき、前記第１の切替方式及び／又は前記第２の切替方式に対して確認することとを含む。
【００３５】
従って、ネットワーク機器は、端末機器から送信される、当該端末機器によって確定される切替方式の情報を受信した後、当該切替方式に対して確認することにより、中継端末機器及び遠隔端末機器のそれぞれの切替方式が適切であるか否かを判断する。端末機器によって確定される切替方式により、２つの端末機器はセルの切替又はセルの再選択が行われた後に、可能な限りそれぞれによってカバーされるセルに配置されるため、中継端末及び遠隔端末にセルの切替が行われた後、中継端末と遠隔端末との間で効果的な中継伝送を続行することができる。
【００３６】
第３の態様の一つの実現形態において、前記リンクはさらに、前記第１の端末機器と前記第２の端末機器との間のリンクを含む。
【００３７】
第３の態様の一つの実現形態において、前記第１の切替方式は、前記第１の端末機器を前記第１のネットワーク機器によってカバーされるセルから前記第２のネットワーク機器によってカバーされるセルに切り替える、又は前記第１の端末機器がセルの切替を行わないことを含み、前記第２の切替方式は、前記第２の端末機器が前記第２のネットワーク機器によってカバーされるセルもしくは他のネットワーク機器によってカバーされるセルをアクセス先セルとして再選択する、又は前記第２の端末機器がセルの切替を行わないことを含む。
【００３８】
第３の態様の一つの実現形態において、前記方法はさらに、前記第１のネットワーク機器が前記第１の端末機器に対して設定情報を送信することを含み、前記設定情報は、前記第１の端末機器の切替先セルの情報を優先して送信するように前記第１の端末機器に指示するために用いられ、前記切替先セルにより、前記第１の端末機器及び前記第２の端末機器は信号強度条件を満足し且つ同一のネットワーク機器によってカバーされるセルに配置される。
【００３９】
第３の態様の一つの実現形態において、前記リンクの測定結果は、前記リンクのリンク品質の測定結果、及び／又は前記リンクのリンク状態の測定結果を含む。
【００４０】
第３の態様の一つの実現形態において、前記第１の端末機器は中継端末機器であり、前記第２の端末機器は遠隔端末機器である、又は前記第１の端末機器は遠隔端末機器であり、前記第２の端末機器は中継端末機器である。
【００４１】
第４の態様として、端末機器を提供し、当該端末機器は、上記第１の態様又は第１の態様の任意の可能な実現形態における端末機器の操作を実行することができる。具体的に、当該端末機器は上記第１の態様又は第１の態様の任意の可能な実現形態における端末機器の操作を実行するために用いられるモジュールユニットを含んでもよい。
【００４２】
第５の態様として、端末機器を提供し、当該端末機器は、上記第２の態様又は第２の態様の任意の可能な実現形態における端末機器の操作を実行することができる。具体的に、当該端末機器は上記第２の態様又は第２の態様の任意の可能な実現形態における端末機器の操作を実行するために用いられるモジュールユニットを含んでもよい。
【００４３】
第６の態様として、ネットワーク機器を提供し、当該ネットワーク機器は、上記第３の態様又は第３の態様の任意の可能な実現形態におけるネットワーク機器の操作を実行することができる。具体的に、当該ネットワーク機器は上記第３の態様又は第３の態様の任意の可能な実現形態におけるネットワーク機器の操作を実行するために用いられるモジュールユニットを含んでもよい。
【００４４】
第７の態様として、端末機器を提供し、当該端末機器は、プロセッサ、送受信器及びメモリを含む。ただし、当該プロセッサ、送受信器及びメモリは内部接続経路を介して互いに通信し合う。当該メモリはコマンドを記憶するために用いられ、当該プロセッサは当該メモリに記憶されているコマンドを実行するために用いられる。当該プロセッサが当該メモリに記憶されているコマンドを実行する時、当該実行により、当該端末機器は第１の態様又は第１の態様の任意の可能な実現形態における方法を実行する、又は当該実行により、当該端末機器は第４の態様によって提供される端末機器を実現する。
【００４５】
第８の態様として、端末機器を提供し、当該端末機器は、プロセッサ、送受信器及びメモリを含む。ただし、当該プロセッサ、送受信器及びメモリは内部接続経路を介して互いに通信し合う。当該メモリはコマンドを記憶するために用いられ、当該プロセッサは当該メモリに記憶されているコマンドを実行するために用いられる。当該プロセッサが当該メモリに記憶されているコマンドを実行する時、当該実行により、当該端末機器は第２の態様又は第２の態様の任意の可能な実現形態における方法を実行する、又は当該実行により、当該端末機器は第５の態様によって提供される端末機器を実現する。
【００４６】
第９の態様として、ネットワーク機器を提供し、当該ネットワーク機器は、プロセッサ、送受信器及びメモリを含む。ただし、当該プロセッサ、送受信器及びメモリは内部接続経路を介して互いに通信し合う。当該メモリはコマンドを記憶するために用いられ、当該プロセッサは当該メモリに記憶されているコマンドを実行するために用いられる。当該プロセッサが当該メモリに記憶されているコマンドを実行する時、当該実行により、当該ネットワーク機器は第３の態様又は第３の態様の任意の可能な実現形態における方法を実行する、又は当該実行により、当該ネットワーク機器は第６の態様によって提供されるネットワーク機器を実現する。
【００４７】
第１０の態様として、コンピュータ可読記憶媒体を提供し、前記コンピュータ可読記憶媒体にプログラムが記憶され、前記プログラムにより、端末機器は上記第１の態様、及びその各種の実現形態におけるいずれか１種の切替方法を実現する。
【００４８】
第１１の態様として、コンピュータ可読記憶媒体を提供し、前記コンピュータ可読記憶媒体にプログラムが記憶され、前記プログラムにより、端末機器は上記第２の態様、及びその各種の実現形態におけるいずれか１種の切替方法を実現する。
【００４９】
第１２の態様として、コンピュータ可読記憶媒体を提供し、前記コンピュータ可読記憶媒体にプログラムが記憶され、前記プログラムにより、ネットワーク機器は上記第３の態様、及びその各種の実現形態におけるいずれか１種の切替方法を実現する。
【００５０】
第１３の態様として、システムチップを提供し、当該システムチップは、入力インタフェース、出力インタフェース、プロセッサ及びメモリを含み、当該プロセッサは当該メモリに記憶されているコマンドを実行するために用いられ、当該コマンドが実行される時、当該プロセッサは上記第１の態様及びその各種の実現形態におけるいずれか１種の方法を実現することができる。
【００５１】
第１４の態様として、システムチップを提供し、当該システムチップは、入力インタフェース、出力インタフェース、プロセッサ及びメモリを含み、当該プロセッサは当該メモリに記憶されているコマンドを実行するために用いられ、当該コマンドが実行される時、当該プロセッサは上記第２の態様及びその各種の実現形態におけるいずれか１種の方法を実現することができる。
【００５２】
第１５の態様として、システムチップを提供し、当該システムチップは、入力インタフェース、出力インタフェース、プロセッサ及びメモリを含み、当該プロセッサは当該メモリに記憶されているコマンドを実行するために用いられ、当該コマンドが実行される時、当該プロセッサは上記第３の態様及びその各種の実現形態におけるいずれか１種の方法を実現することができる。
【図面の簡単な説明】
【００５３】
【図１】従来技術の端末機器による中継伝送を概略的に示す図である。
【図２（ａ）】従来技術の端末機器による中継伝送を概略的に示す図である。
【図２（ｂ）】図２（ｂ）は従来技術の端末機器による中継伝送を概略的に示す図である。
【図３】本願の実施例の一つの適用場面の構成を概略的に示す図である
【図４】本願の実施例による切替方法を概略的に示すフローチャートである。
【図５】本願の実施例による切替方法を概略的に示すフローチャートである。
【図６】本願の実施例による切替方法を概略的に示すフローチャートである。
【図７】本願の実施例による切替方法におけるプロセスインタラクション図である。
【図８】本願の実施例による切替方法におけるプロセスインタラクション図である。
【図９】本願の実施例による端末機器を概略的に示すブロック図である。
【図１０】本願の実施例による端末機器を概略的に示すブロック図である。
【図１１】本願の実施例によるネットワーク機器を概略的に示すブロック図である。
【図１２】本願の実施例による端末機器の構造を概略的に示す図である。
【図１３】本願の実施例による端末機器の構造を概略的に示す図である。
【図１４】本願の実施例によるネットワーク機器の構造を概略的に示す図である。
【図１５】本願の実施例によるシステムチップの構造を概略的に示す図である。
【発明を実施するための形態】
【００５４】
以下、本願の実施例における技術的解決手段について、各図を参照して説明する。
【００５５】
なお、本願の実施例による技術的解決手段は、グローバル移動体通信（Ｇｌｏｂａｌ  Ｓｙｓｔｅｍ  ｏｆ  Ｍｏｂｉｌｅ  ｃｏｍｍｕｎｉｃａｔｉｏｎ、「ＧＳＭ」と略称する）システム、符号分割多重接続（Ｃｏｄｅ  Ｄｉｖｉｓｉｏｎ  Ｍｕｌｔｉｐｌｅ  Ａｃｃｅｓｓ、「ＣＤＭＡ」と略称する）システム、広帯域符号分割多重接続（Ｗｉｄｅｂａｎｄ  Ｃｏｄｅ  Ｄｉｖｉｓｉｏｎ  Ｍｕｌｔｉｐｌｅ  Ａｃｃｅｓｓ、「ＷＣＤＭＡ」と略称する）システム、ロングタームエボリューション（Ｌｏｎｇ  Ｔｅｒｍ  Ｅｖｏｌｕｔｉｏｎ、「ＬＴＥ」と略称する）システム、ＬＴＥ周波数分割複信（Ｆｒｅｑｕｅｎｃｙ  Ｄｉｖｉｓｉｏｎ  Ｄｕｐｌｅｘ、「ＦＤＤ」と略称する）システム、ＬＴＥ時分割複信（Ｔｉｍｅ  Ｄｉｖｉｓｉｏｎ  Ｄｕｐｌｅｘ、「ＴＤＤ」と略称する）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、「ＵＭＴＳ」と略称する）、及び将来の５Ｇ通信システムなど、様々な通信システムに適用することができる。
【００５６】
本願において、端末機器と関連付けて各実施例を説明する。端末機器とは、ユーザ機器（Ｕｓｅｒ  Ｅｑｕｉｐｍｅｎｔ、「ＵＥ」と略称する）、アクセス端末、ユーザユニット、ユーザ局、移動局、モバイルステーション、遠隔局、遠隔端末、移動機器、ユーザ端末、端末、無線通信機器、ユーザ代理機器又はユーザ装置であってもよい。アクセス端末とは、セルラーホン、コードレス電話、セッションイニシエーションプロトコル（Ｓｅｓｓｉｏｎ  Ｉｎｉｔｉａｔｉｏｎ  Ｐｒｏｔｏｃｏｌ、「ＳＩＰ」と略称する）電話、無線ローカルループ（Ｗｉｒｅｌｅｓｓ  Ｌｏｃａｌ  Ｌｏｏｐ、「ＷＬＬ」と略称する）局、携帯情報端末（Ｐｅｒｓｏｎａｌ  Ｄｉｇｉｔａｌ  Ａｓｓｉｓｔａｎｔ、「ＰＤＡ」と略称する）、無線通信機能を有するハンドヘルド機器、コンピューティング機器又は無線モデムに接続される他の処理機器、車載機器、ウェアラブル機器、将来の５Ｇネットワークにおける端末機器又は将来の進化型公衆陸上モバイルネットワーク（Ｐｕｂｌｉｃ  Ｌａｎｄ  Ｍｏｂｉｌｅ  Ｎｅｔｗｏｒｋ  、「ＰＬＭＮ」と略称する）における端末機器などであってもよい。
【００５７】
本願において、ネットワーク機器と関連付けて各実施例を説明する。ネットワーク機器は、端末機器と通信を行うことができる機器であってもよく、例えば、ＧＳＭシステム又はＣＤＭＡにおける基地局（Ｂａｓｅ  Ｔｒａｎｓｃｅｉｖｅｒ  Ｓｔａｔｉｏｎ、「ＢＴＳ」と略称する）であってもよく、ＷＣＤＭＡシステムにおける基地局（ＮｏｄｅＢ、「ＮＢ」と略称する）であってもよく、ＬＴＥシステムにおける進化型基地局（Ｅｖｏｌｕｔｉｏｎａｌ  Ｎｏｄｅ  Ｂ、「ｅＮＢ」又は「ｅＮｏｄｅＢ」と略称する）であってもよい、又は当該ネットワーク機器は中継局、アクセスポイント、車載機器、ウェアラブル機器、及び将来の５Ｇネットワークにおけるネットワーク側機器もしくは将来の進化型ＰＬＭＮネットワークにおけるネットワーク側機器であってもよい。
【００５８】
図３は本願の実施例の一つの適用場面を概略的に示す図である。図３における通信システムはネットワーク機器１０、ネットワーク機器２０、端末機器３０及び端末機器４０を含んでもよい。ネットワーク機器１０は端末機器３０及び端末機器４０に対して通信サービスを提供するために用いられ、端末機器４０は遠隔端末機器、例えば腕時計であり、端末機器３０は中継端末機器、例えば携帯電話であり、端末機器４０は端末機器３０を介してネットワーク機器１０との間でデータの伝送を行うことができる。端末機器３０及び端末機器４０が同一の場所に配置される、例えばどちらもユーザに携帯されている場合、２つの端末機器は同一の方向かつ同一の速度で同時に移動することになる。移動する過程においてセルの切替が必要である場合、２つの端末が異なるネットワーク機器によってカバーされるセルに切り替えられる場合、中継端末と遠隔端末との間の中継伝送に大きな影響を与える。従って、２つの端末機器が移動する過程においてセルの切替を行う時、端末機器３０及び端末機器４０が同一のネットワーク機器によってカバーされるセルに切り替えられることが望ましく、図３に示すように、ネットワーク機器１０によって、端末機器３０及び端末機器４０はネットワーク機器２０によってカバーされるセルに切り替えられ、この場合、端末機器３０と端末機器４０は正常な中継伝送を効果的に行うことができる。図３に示される矢印は、端末機器２０とネットワーク機器１０との間のセルラーリンクを介して行われるアップリンク／ダウンリンク送信を表してもよい。
【００５９】
本願の実施例におけるネットワークとは、公衆陸上モバイルネットワーク（Ｐｕｂｌｉｃ  Ｌａｎｄ  Ｍｏｂｉｌｅ  Ｎｅｔｗｏｒｋ、「ＰＬＭＮ」と略称する）又はデバイスツーデバイス（Ｄｅｖｉｃｅ  ｔｏ  Ｄｅｖｉｃｅ、「Ｄ２Ｄ」と略称する）ネットワーク又はマシンツーマシン／マン（Ｍａｃｈｉｎｅ  ｔｏ  Ｍａｃｈｉｎｅ／Ｍａｎ、「Ｍ２Ｍ」と略称する）又は他のネットワークを指すことができ、図３は一例として概略的に示す図であり、ネットワークはさらに他の端末機器を含んでもよいが、図３において図示されない。
【００６０】
図４は本願の実施例による切替方法４００を概略的に示すフローチャートである。当該方法は第１の端末機器によって実行されてもよく、当該第１の端末機器は中継端末機器、例えば図３の端末機器３０、又は遠隔端末機器、例えば図３の端末機器４０であってもよい。図４に示すように、当該切替方法は、４１０及び４２０を含む。
【００６１】
４１０において、第１の端末機器がリンクの測定結果を取得し、当該リンクは、第１の端末機器と第１のネットワーク機器との間のリンク、及び第１のネットワーク機器と第２の端末機器との間のリンクを含む。
【００６２】
４２０において、第１の端末機器が当該測定結果に基づき、第１の端末機器の第１の切替方式及び／又は第２の端末機器の第２の切替方式を確定する。
【００６３】
１つの実施例において、第１の端末機器及び第２の端末機器のうちの少なくとも一方の端末機器は非アクティブ状態又はアイドル状態である。
【００６４】
１つの実施例において、第１の端末機器は中継端末機器であり、第２の端末機器は遠隔端末機器である、又は第１の端末機器は遠隔端末機器であり、第２の端末機器は中継端末機器である。
【００６５】
１つの実施例において、当該方法はさらに、第１の端末機器が第１の切替方式が確定された後、第１の切替方式を実行することを含む。
【００６６】
具体的に、第１の端末機器及び第２の端末機器がセルの切替を行う時、第１の端末機器は第１のネットワーク機器と第１の端末機器との間のリンクの測定結果、及び第１のネットワーク機器と第２の端末機器との間のリンクの測定結果を取得することができ、これらのリンクの測定結果は、第１の端末機器の第１の切替方式を確定し、第２の端末機器の第２の切替方式を確定するために用いることができる。第１の端末機器は第１の端末機器と第１のネットワーク機器との間のリンクの測定結果、及び第２の端末機器と第１のネットワーク機器との間のリンクの測定結果を同時に取得するため、第１の端末機器が第１の端末機器及び第２の端末機器のそれぞれの切替方式を確定する時、複数のリンクの測定結果を総合的に考慮して、第１の端末機器及び第２の端末機器に対して、可能な限り同一のネットワーク機器によってカバーされるセルを切替先セル又は再選択されるアクセス先セルとして選択することができる。
【００６７】
例えば、もし第１の端末機器と第２の端末機器との間でサービスデータのインタラクションが行われるのであれば、この２つの端末機器が移動する過程においてセルの切替を行う必要がある場合、第１のネットワーク機器は、第１の切替方式及び第２の切替方式を確定する時、２つの端末機器のそれぞれのリンク測定結果に基づき、第１の端末機器及び第２の端末機器に対して、可能な限り同一のネットワーク機器によってカバーされるセルを切替先セルとして選択し、これによって端末機器におけるサービスの連続性を保証し、切替後の信号強度は必ずしも最良であるとは限らない。
【００６８】
さらに、当該実施例において、第１の切替方式及び第２の切替方式は第１の端末機器によって確定されるため、第１の端末機器及び／又は第２の端末機器が非アクティブ状態又はアイドル状態である場合、端末機器はネットワーク機器を介することなく、自らで切替方式を確定できるため、端末機器間のサービスの連続性がよりよく保証される。
【００６９】
ここで、第１の端末機器は第１の端末機器の第１切替方式を確定し、第２の端末機器の第２切替方式を確定してもよいが、第１の端末機器は第１の切替方式のみを確定し、第２の切替方式は第２の端末機器によって確定されてもよい。
【００７０】
第１の端末機器が第２の端末機器の第２の切替方式を確定したる場合、１つの実施例において、当該方法はさらに、第１の端末機器が第２の端末機器に対して切替コマンドを送信することを含み、当該切替コマンドは当該第２の切替方式を実行するように第２の端末機器に指示するために用いられる。
【００７１】
１つの実施例において、第１の端末機器によって取得されるリンクの測定結果はさらに、第１の端末機器と第２の端末機器との間のリンクの測定結果を含んでもよい。
【００７２】
つまり、第１の端末機器は第１のネットワーク機器と第１の端末機器との間のリンクの測定結果、及び第１のネットワーク機器と第２の端末機器との間のリンクの測定結果を取得するだけでなく、第１の端末機器と第２の端末機器との間のリンクの測定結果を取得し、これらの３つのリンクの測定結果を総合的に考慮して、第１の切替方式及び／又は第２の切替方式を確定することができる。２つの端末機器の間のリンク状況が考慮されるため、２つの端末機器を可能な限り同一のネットワーク機器によってカバーされるセルに切り替える。
【００７３】
１つの実施例において、当該リンクの測定結果は、当該リンクのリンク品質の測定結果、及び／又は当該リンクのリンク状態の測定結果を含む。
【００７４】
第１の端末機器は、第１の端末機器のリンクの測定結果、すなわち、第１の端末機器と第１のネットワーク機器との間のリンクの測定結果及び第１の端末機器と第２の端末機器との間のリンクの測定結果を確定することができ、第２の端末機器は、第２の端末機器のリンクの測定結果、すなわち、第２の端末機器と第１のネットワーク機器との間のリンクの測定結果及び第２の端末機器と第１の端末機器との間のリンクの測定結果を確定することができる。従って、１つの実施例において、４０１において、第１の端末機器がリンクの測定結果を取得することは、第１の端末機器が第１の端末機器と第１のネットワーク機器との間のリンクの測定結果を確定し、第２の端末機器から送信される第１のネットワーク機器と第２の端末機器との間のリンクの測定結果を受信することを含む。
【００７５】
さらに、第１の端末機器がリンクの測定結果を取得することはさらに、第１の端末機器が第１の端末機器と第２の端末機器との間のリンクの測定結果を確定する、又は第１の端末機器が第２の端末機器から送信される第１の端末機器と第２の端末機器との間のリンクの測定結果を受信することを含んでもよい。
【００７６】
ただし、１つの実施例において、第１の端末機器がリンクの測定結果を取得することは、当該第１の端末機器が第２の端末機器から送信される、適合層又はダイレクトインタフェースプロトコルスタックＰＣ５に運ばれた測定結果を取得することを含む。
【００７７】
すなわち、第１の端末機器、第２の端末機器と第１のネットワーク機器との間の測定結果などのインタラクションされる情報は、適合層又は従来のダイレクトインタフェースプロトコルスタックＰＣ５のシグナリング又はデータに運ばれてもよい。
【００７８】
１つの実施例において、ステップ４１０において、第１の端末機器が当該測定結果に基づき、第１の端末機器の第１の切替方式及び／又は第２の端末機器の第２の切替方式を確定することは、第１の端末機器が第１の端末機器及び第２の端末機器の状態、及び当該測定結果に基づき、当該第１の切替方式及び／又は当該第２の切替方式を確定することを含む。
【００７９】
ただし、１つの実施例において、第１の端末機器が接続状態である場合、当該第１の切替方式は、第１の端末機器を第１のネットワーク機器によってカバーされるセルから第２のネットワーク機器によってカバーされるセルに切り替える、又は第１の端末機器がセルの切替を行わないことを含み、
第１の端末機器が非アクティブ状態又はアイドル状態である場合、当該第１の切替方式は、第１の端末機器が第２のネットワーク機器によってカバーされるセルをアクセス先セルとして再選択する、又は第１の端末機器はセルの再選択を行わないことを含み、
第２の端末機器が接続状態である場合、当該第２の切替方式は、第２の端末機器を第１のネットワーク機器によってカバーされるセルから第２のネットワーク機器によってカバーされるセルもしくは他のネットワーク機器によってカバーされるセルに切り替える、又は前記第２の端末機器がセルの切替を行わないことを含み、
第２の端末機器が非アクティブ状態又はアイドル状態である場合、当該第２の切替方式は、第２の端末機器が第２のネットワーク機器によってカバーされるセルもしくは他のネットワーク機器によってカバーされるセルをアクセス先セルとして再選択する、又は第２の端末機器がセルの再選択を行わないことを含む。
【００８０】
ただし、第１の切替方式が第１の端末機器が第２の端末機器によってカバーされるセルに切り替られる又は再選択するようにする場合、第２の切替方式は、第２の端末機器が第１の端末機器と同一のネットワーク機器、すなわち第２のネットワーク機器によってカバーされるセルに切り替られる又は再選択するようにしてもよく、しかしながら、信号強度条件が好ましくない場合、又は第１の端末機器と第２の端末機器との間でリンク接続を保持する必要がない、リンク接続を保持すべきではない、又はリンク接続の保持を継続するのは適切ではない場合、第２の端末機器を他のネットワーク機器によってカバーされるセルに切り替える、又は他のネットワーク機器によってカバーされるセルをアクセス先セルとして再選択することもできる。
【００８１】
１つの実施例において、第１の端末機器が当該測定結果に基づき、第１の端末機器の第１の切替方式及び／又は第２の端末機器の第２の切替方式を確定することは、第１の端末機器が当該測定結果に基づき、第１の端末機器と第２の端末機器との間でリンク接続を保持するか否かを確定することと、第１の端末機器が第１の端末機器と第２の端末機器との間でリンク接続を保持するか否かに基づき、当該第１の切替方式及び／又は当該第２の切替方式を確定することとを含む。
【００８２】
さらに、第１の端末機器が第１の端末機器と第２の端末機器との間でリンク接続を保持することを確定した場合、第１の端末機器が当該第１の切替方式を実行し且つ第２の端末機器が当該第２の切替方式を実行した後、第１の端末機器及び第２の端末機器は同一のネットワーク機器によってカバーされるセルに配置される。
【００８３】
具体的に、第１のネットワーク機器が第１の端末機器と第２の端末機器との間でリンク接続を保持することを確定した場合、例えば、第１のネットワーク機器が第１の端末機器と第２の端末機器との間でリンク接続を保持すべきである、又はリンク接続の保持を継続する必要があることを確定した場合、第１のネットワーク機器によって確定される第１の切替方式及び／又は第２の切替方式により、第１の端末機器が第１の切替方式を実行し且つ第２の端末機器が第２の切替方式を実行した後、第１の端末機器及び第２の端末機器は同一のネットワーク機器によってカバーされるセルに配置される。
【００８４】
第１のネットワーク機器が第１の端末機器と第２の端末機器との間でリンク接続を保持しないことを確定した場合、例えば、第１のネットワーク機器が第１の端末機器と第２の端末機器との間でリンク接続の保持を継続すべきではない、又はリンク接続の保持を継続する必要がない、又は信号強度は第１の端末機器と第２の端末機器との間のリンク要件を満足できないことを確定した場合、第１のネットワーク機器によって確定される第１の切替方式及び／又は当該第２の切替方式により、第１の端末機器が第１の切替方式を実行し且つ第２の端末機器が第２の切替方式を実行した後、第１の端末機器及び第２の端末機器は同一又は異なるネットワーク機器によってカバーされるセルに配置される。
【００８５】
１つの実施例において、第１の端末機器が第１の端末機器と第２の端末機器との間でリンク接続を保持しないことを確定した場合、当該方法はさらに、第１の端末機器が第２の端末機器に対して解放指示情報を送信することを含み、当該解放指示情報は第１の端末機器との間のリンク接続を解放するように第２の端末機器に指示するために用いられる。
【００８６】
１つの実施例において、４２０の前に、すなわち、第１の端末機器が当該測定結果に基づき、第１の端末機器の第１の切替方式及び／又は第２の切替方式を確定する前に、当該方法はさらに、第１の端末機器が第１の端末機器と第２の端末機器との間の関連情報を取得することを含み、当該関連情報は第１の端末機器と第２の端末機器との間のペアリング関係又は接続関係を含む。
【００８７】
ただし、第１の端末機器が当該測定結果に基づき、第１の端末機器の第１の切替方式及び／又は第２の端末機器の第２の切替方式を確定することは、第１の端末機器が当該関連情報及び当該測定結果に基づき、当該第１の切替方式及び／又は当該第２の切替方式を確定することを含む。
【００８８】
具体的に、第１の端末機器は、第１の端末機器と第２の端末機器との間のペアリング関係又は接続関係、及びリンクの測定結果の両者に基づき、第１の切替方式及び／又は当該第２の切替方式を確定することもできる。例えば、第１の端末機器及び第２の端末機器が接続関係であり、データのインタラクションも行われる場合、第１の切替方式及び／又は第２の切替方式を確定する時、第１の端末機器は、リンクの測定結果に基づき、第１の端末機器及び第２の端末機器に対して、可能な限り同一のネットワーク機器によってカバーされるセルを切替先セル又は再選択されるアクセス先セルとして選択するが、切替後の信号強度が必ずしも最良であるとは限らない。
【００８９】
１つの実施例において、第１の端末機器が接続状態である場合、当該方法はさらに、第１の端末機器が第１のネットワーク機器に対して切替情報を送信することを含み、当該切替情報は、当該第１の切替方式の情報、当該第２の切替方式の情報及びリンクの測定結果のうちの少なくとも１種を含む。
【００９０】
具体的に、第１の端末機器が第１の端末機器の第１の切替方式及び／又は第２の端末機器の第２の切替方式を確定した後、第１の切替方式及び第２の切替方式を第１のネットワーク機器に報告することもでき、これによって第１のネットワーク機器は第１の切替方式及び／又は第２の切替方式に対して確認し、第１の端末機器及び第２の端末機器がそれぞれの切替方式を実行して適切なネットワークに切り替えることができるか否かを確定する。当該第１の切替方式の情報は、第１の端末機器の切替先セル又は再選択されるセルの情報（すなわち、第１の端末機器が好む切替先セル又は再選択されるセル）を含んでもよく、当該第２の切替方式の情報は、第２の端末機器の切替先セル又は再選択されるセルの情報（すなわち、第２の端末機器にとって可能性の高い切替先セル又は再選択されるセル）を含んでもよい。
【００９１】
例えば、第１の端末機器によって確定された第１の切替方式が、第１の端末機器を第２のネットワーク機器によってカバーされるセルに切り替えることを含む場合、第１の端末機器は当該第１の切替方式の情報及びリンクの測定結果を第１のネットワーク機器に送信することができる。第１のネットワーク機器は、受信された測定情報及び第１の切替方式の情報に基づき、第１の端末機器が第２のネットワーク機器によってカバーされるセルに切り替えることを選択することが適切であるか否かを確定することができる。
【００９２】
さらに、１つの実施例において、第１の端末機器が当該測定結果に基づき、第１の端末機器の第１の切替方式及び／又は第２の端末機器の第２の切替方式を確定する前に、当該方法はさらに、第１の端末機器が当該ネットワーク機器から送信される設定情報を受信することを含み、当該設定情報は、第１の端末機器の切替先セルの情報を優先して送信するように第１の端末機器に指示するために用いられ、当該切替先セルにより第１の端末機器及び第２の端末機器は信号強度条件を満足し且つ同一のネットワーク機器によってカバーされるセルに配置される。
【００９３】
つまり、第１の端末機器は、第１のネットワーク機器に対して第１の切替方式の情報、すなわち第１の端末機器の切替先セルの情報を送信し、同時に第１のネットワーク機器に対して第１の端末機器によって測定される全てのセルの情報を送信することができるが、端末機器は報告を行う時、第１のネットワーク機器に対して第１の端末機器の切替先セルの情報を優先して報告する。ただし、第１の端末機器の切替先セルは、第１の端末機器及び第２の端末機器が切替信号強度条件を満足し且つ同一のネットワークに配置されるようにするセルである。
【００９４】
例えば、第１の端末機器が第１の端末機器、第２の端末機器及び第２のネットワーク機器のうちのいずれか２つの間のリンクの測定結果を取得し、さらに第１の端末機器、第２の端末機器及び第３のネットワーク機器のうちのいずれか２つの間のリンクの測定結果を取得したと仮定する。第１の端末機器が取得されたこれらの測定結果に基づき確定した第１の切替方式が、第１の端末機器を第２のネットワーク機器によってカバーされるＡセルに切り替えることである場合、第１の切替方式におけるＡセルが最適な切替先セル（すなわち、第１の端末機器及び第２の端末機器が切替信号強度条件を満足し且つ同一のネットワークによってカバーされるセルに配置されるようにする）であるため、第１の端末機器は、第１の切替方式の情報（すなわち、Ａセルの情報）を第１のネットワーク機器に優先して送信してから、第３のネットワーク機器によってカバーされるセルの情報、及び第２のネットワーク機器によってカバーされるＡセル以外の他のセルの情報を第１のネットワーク機器に送信する。これにより、第１のネットワーク機器は、受信されたこれらの情報に基づき、当該第１の切替方式に対して確認し、当該第１の切替方式が適切であるか否かを確定することができる。
【００９５】
本願の実施例において、端末機器は、中継端末機器のリンク情報及び遠隔端末機器のリンク情報を取得して、２つの端末機器の切替方式を決定することにより、２つの端末機器はセルの切替又はセルの再選択が行われた後に、可能な限り同一のネットワーク機器によってカバーされるセルに配置される。これにより、中継端末及び遠隔端末がセルの切替を行った後、中継端末と遠隔端末との間で効果的な中継伝送を続行するようにことができる。
【００９６】
さらに、第１の切替方式及び第２の切替方式は端末機器によって確定されるため、端末機器が非アクティブ状態又はアイドル状態である場合、端末機器はネットワーク機器を介することなく、自らで切替方式を確定できるため、端末機器間のサービスの連続性がよりよく保証される。
【００９７】
図５は本願の実施例による切替方式５００を概略的に示すフローチャートである。当該方法は第２の端末機器によって実行されてもよく、第２の端末機器は中継端末機器、例えば図３における端末機器３０、又は遠隔端末機器、例えば図３における端末機器４０であってもよい。図５に示すように、当該切替方式は、５１０〜５３０を含む。
【００９８】
５１０において、第２の端末機器がリンクの測定結果を取得し、当該リンクは第２の端末機器と第１のネットワーク機器との間のリンクの測定結果を含む。
【００９９】
５２０において、第２の端末機器が第１の端末機器に対して当該測定結果を送信し、当該測定結果は第１の端末機器が第２の端末機器の第２の切替方式を確定するために用いられる。
【０１００】
５３０において、第２の端末機器が第１の端末機器から送信される切替コマンドを受信し、当該切替コマンドに基づき、当該第２の切替方式を実行する。
【０１０１】
１つの実施例において、第１の端末機器は中継端末機器であり、第２の端末機器は遠隔端末機器である、又は第１の端末機器は遠隔端末機器であり、第２の端末機器は中継端末機器である。
【０１０２】
具体的に、第２の端末機器がセルの切替を行う時、第２の端末機器が第２の端末機器と第１のネットワーク機器との間のリンクの測定結果を取得し、当該測定結果を第１の端末機器に送信し、これによって第１の端末機器は、第１のネットワーク機器と第２の端末機器との間のリンクの測定結果、及び第１のネットワーク機器と第１の端末機器との間のリンクの測定結果に基づき、第２の端末機器の第２の切替方式を確定する、又は自身の第１の切替方式も確定できる。第１の端末機器が第２の端末機器と第１のネットワーク機器との間のリンクの測定結果、及び第１の端末機器と第１のネットワーク機器との間のリンクの測定結果を同時に取得するため、第１の端末機器は第２の端末機器の切替方式を確定する時、複数のリンクの測定結果を総合的に考慮して、第２の端末機器に対して、可能な限り第１の端末機器と同一のネットワーク機器によってカバーされるセルを、それの再選択されるアクセス先セルとして選択することができる。
【０１０３】
１つの実施例において、第２端末機器によって取得されるリンクの測定結果はさらに、第２の端末機器と第１の端末機器との間のリンクの測定結果を含んでもよい。
【０１０４】
つまり、第１の端末機器が第１の端末機器と第１のネットワーク機器との間のリンクの測定結果を確定し、第２の端末機器から送信される第１のネットワーク機器と第２の端末機器との間のリンクの測定結果、及び第１の端末機器と第２の端末機器との間のリンクの測定結果を受信し、これらの３つのリンクの測定結果を総合的に考慮して、第１の切替方式及び／又は第２の切替方式を確定することができる。２つの端末機器の間のリンク状況が考慮されるため、２つの端末機器は可能な限り同一のネットワーク機器によってカバーされるセルに切り替えられる。当然ながら、第１の端末機器と第２の端末機器との間のリンクの測定結果は、第１の端末機器自身によって確定されてもよい。
【０１０５】
１つの実施例において、当該リンクの測定結果は、当該リンクのリンク品質の測定結果、及び／又は当該リンクのリンク状態の測定結果を含む。
【０１０６】
１つの実施例において、第１の端末機器が接続状態である場合、当該第１の切替方式は、第１の端末機器を第１のネットワーク機器によってカバーされるセルから第２のネットワーク機器によってカバーされるセルに切り替える、又は第１の端末機器がセルの切替を行わないことを含み、
第１の端末機器が非アクティブ状態又はアイドル状態である場合、当該第１の切替方式は、第１の端末機器が第２のネットワーク機器によってカバーされるセルをアクセス先セルとして再選択する、又は第１の端末機器がセルの再選択を行わないことを含み、
第２の端末機器が接続状態である場合、当該第２の切替方式は、第２の端末機器を第１のネットワーク機器によってカバーされるセルから第２のネットワーク機器によってカバーされるセルもしくは他のネットワーク機器によってカバーされるセルに切り替える、又は第２の端末機器がセルの切替を行わないことを含み、
第２の端末機器が非アクティブ状態又はアイドル状態である場合、当該第２の切替方式は、第２の端末機器が第２のネットワーク機器によってカバーされるセルもしくは他のネットワーク機器によってカバーされるセルをアクセス先セルとして再選択する、又は第２の端末機器がセルの再選択を行わないことを含む。
【０１０７】
１つの実施例において、ステップ５２０において第２の端末機器が第１の端末機器に対して当該測定結果を送信することは、第２の端末機器が第１の端末機器に対して、適合層又はダイレクトインタフェースプロトコルスタックＰＣ５に運ばれた当該測定結果を送信することを含む。
【０１０８】
すなわち、第１の端末機器、第２の端末機器と第１のネットワーク機器との間の測定結果などのインタラクションされる情報は、適合層又は従来のダイレクトインタフェースプロトコルスタックＰＣ５のシグナリング又はデータに運ばれてもよい。
【０１０９】
１つの実施例において、第１の端末機器が第１の端末機器と第２の端末機器との間でリンク接続を保持することを確定した場合、第２の端末機器が当該第２の切替方式を実行した後、第２の端末機器及び第１の端末機器は同一のネットワーク機器によってカバーされるセルに配置される。
【０１１０】
具体的に、第１の端末機器はリンクの測定結果に基づき、第１の端末機器と第２の端末機器との間でリンク接続を保持するか否かを確定することができ、第１の端末機器が第１の端末機器と第２の端末機器との間でリンク接続を保持することを確定した場合、例えば、第１のネットワーク機器が第１の端末機器と第２の端末機器との間でリンク接続を保持すべきである、又はリンク接続の保持を継続する必要があることを確定した場合、第１の端末機器によって確定される第２の切替方式により、第２の端末機器が当該第２の切替方式を実行した後、第２の端末機器及び第１の切替方式を実行した第１の端末機器は同一のネットワーク機器によってカバーされるセルに配置される。
【０１１１】
１つの実施例において、第１の端末機器が第１の端末機器と第２の端末機器との間でリンク接続を保持しないことを確定した場合、当該方法はさらに、第２の端末機器が第１の端末機器から送信される解放指示情報を受信し、当該解放指示情報に基づき、第１の端末機器との間のリンク接続を解放することを含む。
【０１１２】
１つの実施例において、当該第２の切替方式が、第２の端末機器が第２のネットワーク機器によってカバーされるセルをアクセス先セルとして再選択することを含む場合、当該切替コマンドはさらに、第２の端末機器によって再選択されるアクセス先セルの情報を含む。
【０１１３】
１つの実施例において、当該第２の切替方式が、第２の端末機器を第２のネットワーク機器によってカバーされるセルに切り替えることを含む場合、当該切替コマンドはさらに、第２の端末機器がセルの切替を行うために用いるリソースを含む。
【０１１４】
本願の実施例において、端末機器は、別の端末機器に対して自身のリンク情報を報告し、別の端末機器は２つの端末機器のリンク情報に基づき２つの端末機器の切替方式を決定し、これにより、２つの端末機器がセルの切替又はセルの再選択を行った後に、可能な限り同一のネットワーク機器によってカバーされるセルに配置される。これにより、中継端末及び遠隔端末がセルの切替を行った後、中継端末と遠隔端末との間で中継伝送を効果的に続行することができる。
【０１１５】
さらに、第１の切替方式及び第２の切替方式は端末機器によって確定されるため、端末機器が非アクティブ状態又はアイドル状態である場合、端末機器はネットワーク機器を介することなく、自らで切替方式を確定できるため、端末機器間のサービスの連続性がよりよく保証される。
【０１１６】
図６は本願の実施例による切替方式６００を概略的に示すフローチャートである。当該方法は第２のネットワーク機器、例えば図３におけるネットワーク機器１０によって実行されてもよい。図６に示すように、当該切替方式は、６１０及び６２０を含む。
【０１１７】
６１０において、第１のネットワーク機器が第１の端末機器から送信される切替情報を受信し、当該切替情報は、第１の端末機器によって確定される第１の端末機器の第１の切替方式、第２の端末機器の第２の切替方式及びリンクの測定結果のうちの少なくとも１種を含み、当該リンクは、第１の端末機器と第１のネットワーク機器との間のリンク、及び第２の端末機器と第１のネットワーク機器との間のリンクを含む。
【０１１８】
６２０において、第１のネットワーク機器が当該切替情報に基づき、当該第１の切替方式及び／又は当該第２の切替方式に対して確認する。
【０１１９】
１つの実施例において、当該リンクの測定結果は、当該リンクのリンク品質の測定結果、及び／又は当該リンクのリンク状態の測定結果を含む。
【０１２０】
１つの実施例において、第１の端末機器は中継端末機器であり、第２の端末機器は遠隔端末機器である、又は第１の端末機器は遠隔端末機器であり、第２の端末機器は中継端末機器である。
【０１２１】
具体的に、第１の端末機器及び第２の端末機器がセルの切替を行う時、第１の端末機器は第１のネットワーク機器と第１の端末機器との間のリンクの測定結果、及び第１のネットワーク機器と第２の端末機器との間のリンクの測定結果を取得することができ、第１の端末機器はこれらのリンクの測定結果に基づき第１の端末機器の第１の切替方式を確定し、第２の端末機器の第２の切替方式を確定することができる。この場合、第１の端末機器はさらに、当該第１の切替方式、第２の切替方式、及びリンクの測定結果のうちの少なくとも１つを第１のネットワーク機器に送信することもでき、第１のネットワーク機器は受信されたこれらの切替情報に基づき、当該第１の切替方式及び／又は第２の切替方式に対して確認することにより、当該第１の切替方式及び／又は第２の切替方式が最適な切替方式であるか否かを確定し、すなわち第１の端末機器及び／又は第２の端末機器がそれぞれの切替方式を実行して適切なネットワークに切り替える、又はアクセス先ネットワークとして適切なネットワークを再選択することができるか否かを確定する。
【０１２２】
例えば、第１の端末機器によって確定される第１の切替方式が、第１の端末機器を第２のネットワーク機器によってカバーされるセルに切り替えることを含み、第１の端末機器は当該第１の切替方式の情報及びリンクの測定結果を第１のネットワーク機器に送信することができる。第１のネットワーク機器は、受信された測定情報及び第１の切替方式の情報に基づき、第１の端末機器が第２のネットワーク機器によってカバーされるセルに切り替えることを選択することが適切であるか否かを確定することができる。
【０１２３】
１つの実施例において、当該第１の切替方式は、第１の端末機器を第１のネットワーク機器によってカバーされるセルから第２のネットワーク機器によってカバーされるセルに切り替える、又は第１の端末機器がセルの切替を行わないことを含み、当該第２の切替方式は、第２の端末機器が第２のネットワーク機器によってカバーされるセルもしくは他のネットワーク機器によってカバーされるセルをアクセス先セルとして再選択する、又は第２の端末機器がセルの再選択を行わないことを含む。
【０１２４】
１つの実施例において、当該方法はさらに、当該ネットワーク機器が当該端末機器に対して設定情報を送信することを含み、当該設定情報は、第１の端末機器の切替先セルの情報を優先して送信するように第１の端末機器に指示するために用いられ、当該切替先セルにより第１の端末機器及び第２の端末機器は信号強度条件を満足し且つ同一のネットワーク機器によってカバーされるセルに配置される。
【０１２５】
つまり、第１の端末機器は、第１のネットワーク機器に対して第１の切替方式の情報、すなわち第１の端末機器の切替先セルの情報を送信し、同時に第１のネットワーク機器に対して第１の端末機器によって測定される全てのセルの情報を送信することができるが、端末機器は報告を行う時、第１のネットワーク機器に対して第１の端末機器の切替先セルの情報を優先して報告する。ただし、第１の端末機器の切替先セルは、第１の端末機器及び第２の端末機器が切替信号強度条件を満足し且つ同一のネットワークに配置されるようにするセルである。
【０１２６】
例えば、第１の端末機器が第１の端末機器、第２の端末機器と第２のネットワーク機器との間のリンクの測定結果を取得し、さらに第１の端末機器、第２の端末機器と第３のネットワーク機器との間のリンクの測定結果を取得したと仮定する。第１の端末機器が取得されたこれらの測定結果に基づき確定した第１の切替方式が、第１の端末機器を第２のネットワーク機器によってカバーされるＡセルに切り替えることである場合、第１の切替方式におけるＡセルは最適な切替先セル（すなわち、第１の端末機器及び第２の端末機器が切替信号強度条件を満足し且つ同一のネットワークによってカバーされるセルに配置されるようにする）であるため、第１の端末機器は、第１の切替方式の情報（すなわち、Ａセルの情報）を第１のネットワーク機器に優先して送信してから、第３のネットワーク機器によってカバーされるセルの情報、及び第２のネットワーク機器によってカバーされるＡセル以外の他のセルの情報を第１のネットワーク機器に送信する。これにより、第１のネットワーク機器は、受信されたこれらの情報に基づき、当該第１の切替方式に対して確認することができる。
【０１２７】
本願の実施例において、ネットワーク機器は、端末機器から送信される、当該端末機器によって確定された切替方式の情報を受信した後、当該切替方式に対して確認することにより、中継端末機器及び遠隔端末機器のそれぞれの切替方式が適切であるか否かを判断する。端末機器によって確定される切替方式により、２つの端末機器はセルの切替又はセルの再選択が行われた後に、可能な限りそれぞれによってカバーされるセルに配置されるため、中継端末及び遠隔端末がセルの切替を行った後、中継端末と遠隔端末との間で効果的な中継伝送を続行することができる。
【０１２８】
以下、図７及び図８を参照して、２つの具体例を用いて本願の実施例の切替方法を具体的に説明する。なお、図７及び図８はあくまでも例示的なものに過ぎず、本願の実施例はこれらに限定されるものではない。
【０１２９】
図７は本願の実施例による切替方法におけるプロセスインタラクション図である。図７において第１の端末機器は接続状態であり、第２の端末機器は非アクティブ状態又はアイドル状態である。図７に示すように、当該方法は７０１〜７０８を含む。
【０１３０】
７０１において、第２の端末機器が第１の端末機器に対して第２の端末機器のリンクの測定結果を送信する。
【０１３１】
ただし、第２の端末機器のリンクの測定結果は第２の端末機器と第１のネットワーク機器との間のリンク（例えば、リンクの状況及びリンクの品質など）の測定結果を含む。
【０１３２】
７０２において、第１の端末機器が第１の端末機器の第１の切替方式及び第２の端末機器の第２の切替方式を確定する。
【０１３３】
具体的に、第１の端末機器は、第１の端末機器のリンクの測定結果、及び第２の端末機器のリンクの測定結果に基づき、第１の切替方式及び第２の切替方式を確定する。
【０１３４】
ただし、第１の端末機器のリンクの測定結果は第１の端末機器と第１のネットワーク機器との間のリンクの測定結果、及び第１の端末機器と第２の端末機器との間のリンクの測定結果を含む。
【０１３５】
１つの実施例において、第１の端末機器はさらに、第１の端末機器と第２の端末機器との間のペアリング関係／接続関係を取得することもでき、これによって当該ペアリング関係／接続関係、及び上記リンクの測定結果に基づき、第１の切替方式及び第２の切替方式を確定する。
【０１３６】
ただし、第１の切替方式は、第１の端末機器を第１のネットワーク機器によってカバーされるセルから第２のネットワーク機器によってカバーされるセルに切り替えることを含み、第２の切替方式は、第２の端末機器が第２のネットワーク機器によってカバーされるセルをアクセス先セルとして再選択することを含む。
【０１３７】
７０３において、第１の端末機器が第１のネットワーク機器に対して切替情報を送信する。
【０１３８】
ただし、当該切替情報は、第１の端末機器によって確定される第１の端末機器の第１の切替方式、第２の端末機器の第２の切替方式及びリンクの測定結果のうちの少なくとも１種を含む。
【０１３９】
７０４において、第１のネットワーク機器が当該切替情報に基づき、当該第１の切替方式及び第２の切替方式に対して確認する。
【０１４０】
７０５において、第１のネットワーク機器が第１の端末機器に対して確認メッセージを送信する。
【０１４１】
７０６において、第１の端末機器が確認メッセージを受信した後、第２の端末機器に対して切替指示メッセージを送信する。
【０１４２】
ただし、当該切替指示メッセージは第２の端末機器によって再選択されるセルのセル情報を含み、当該切替指示メッセージは第２の切替方式を実行するように第２の端末機器に指示するために用いられる。
【０１４３】
７０７において、第１の端末機器が第１の切替方式を実行し、第２のネットワーク機器によってカバーされるセルに切り替える。
【０１４４】
７０８において、第２の端末機器が第２の切替方式を実行し、第２のネットワーク機器によってカバーされるセルに切り替える。
【０１４５】
第１の端末機器と第２の端末機器との間でリンク接続の保持を継続することは必要ではない、そうすべきではない、もしくは適切ではない、又は現時点の信号強度条件では、第１の端末機器と第２の端末機器との間でリンク接続をよりよく保持できないことと第１の端末機器により確定された場合、第１の端末機器は、第２の端末機器に対して解放指示情報を送信することにより、両者の間のリンク接続を解放するように指示してもよい。当該解放指示情報は、切替指示情報と共に第２の端末機器に送信されてもよい。
【０１４６】
図８は本願の実施例による切替方法におけるプロセスインタラクション図である。図８において第１の端末機器及び第２の端末機器はいずれも非アクティブ状態又はアイドル状態である。図８に示すように、当該方法は８０１〜８０５を含む。
【０１４７】
８０１において、第２の端末機器が第１の端末機器に対して第２の端末機器のリンクの測定結果を送信する。
【０１４８】
ただし、第２の端末機器のリンクの測定結果は第２の端末機器と第１のネットワーク機器との間のリンク（例えば、リンクの状況又はリンクの品質など）の測定結果を含む。
【０１４９】
８０２において、第１の端末機器が第１の端末機器の第１の切替方式及び第２の端末機器の第２の切替方式を確定する。
【０１５０】
具体的に、第１の端末機器は、第１の端末機器のリンクの測定結果、及び第２の端末機器のリンクの測定結果に基づき、第１の切替方式及び第２の切替方式を確定する。
【０１５１】
ただし、第１の端末機器のリンクの測定結果は、第１の端末機器と第１のネットワーク機器との間のリンクの測定結果、及び第１の端末機器と第２の端末機器との間のリンクの測定結果を含む。
【０１５２】
１つの実施例において、第１の端末機器はさらに、第１の端末機器と第２の端末機器との間のペアリング関係／接続関係を取得することもでき、これによって当該ペアリング関係／接続関係、及び上記リンクの測定結果に基づき、第１の切替方式及び第２の切替方式を確定する。
【０１５３】
ただし、第１の切替方式は、第１の端末機器が第２のネットワーク機器によってカバーされるセルをアクセス先セルとして再選択することを含み、第２の切替方式は、第２の端末機器が第２のネットワーク機器によってカバーされるセルをアクセス先セルとして再選択することを含む。
【０１５４】
８０３において、第１の端末機器は第２の端末機器に対して切替指示メッセージを送信する。
【０１５５】
ただし、当該切替指示メッセージは第２の端末機器によって再選択されるセルのセル情報を含み、当該切替指示メッセージは第２の切替方式を実行するように第２の端末機器に指示するために用いられる。
【０１５６】
８０４において、第１の端末機器が第１の切替方式を実行し、第２のネットワーク機器によってカバーされるセルをアクセス先セルとして再選択する。
【０１５７】
８０５において、第２の端末機器が第２の切替方式を実行し、第２のネットワーク機器によってカバーされるセルをアクセス先セルとして再選択する。
【０１５８】
第１の端末機器と第２の端末機器との間でリンク接続の保持を継続することは必要ではない、そうすべきではない、もしくは適切ではない、又は現時点の信号強度条件では、第１の端末機器と第２の端末機器との間でリンク接続をよりよく保持できないことを第１の端末機器が確定する場合、第１の端末機器はさらに、第２の端末機器に対して解放指示情報を送信することにより、両者の間のリンク接続を解放するように指示してもよい。当該解放指示情報は、切替指示情報と共に第２の端末機器に送信されてもよい。
【０１５９】
なお、本願の様々な実施例において、上記各プロセスの番号の大きさは、実行時の前後順序を意味するものではなく、各プロセスの実行順序はその機能及び内部倫理により確定されるものであり、本願の実施例を実施するプロセスに対していかなる限定も加えない。
【０１６０】
図９は本願の実施例による端末機器９００を概略的に示すブロック図である。図９に示すように、端末機器９００は、取得ユニット９１０及び確定ユニット９２０を含む。
【０１６１】
取得ユニット９１０は、リンクの測定結果を取得するために用いられ、前記リンクは前記第１の端末機器と第１のネットワーク機器との間のリンク、及び前記第１のネットワーク機器と第２の端末機器との間のリンクを含み、
確定ユニット９２０は、前記取得ユニット９１０によって取得された前記測定結果に基づき、前記第１の端末機器の第１の切替方式及び／又は前記第２の端末機器の第２の切替方式を確定するために用いられる。
【０１６２】
従って、端末機器は、中継端末機器のリンク情報及び遠隔端末機器のリンク情報を取得して、２つの端末機器の切替方式を決定することにより、２つの端末機器はセルの切替又はセルの再選択が行われた後に、可能な限り同一のネットワーク機器によってカバーされるセルに配置される。これにより、中継端末及び遠隔端末がセルの切替を行った後、中継端末と遠隔端末との間で効果的な中継伝送を続行することができる。
【０１６３】
さらに、第１の切替方式及び第２の切替方式は端末機器によって確定されるため、端末機器が非アクティブ状態又はアイドル状態である場合、端末機器はネットワーク機器を介することなく、自らで切替方式を確定できるため、端末機器間のサービスの連続性がよりよく保証される。
【０１６４】
１つの実施例において、前記リンクはさらに、前記第１の端末機器と前記第２の端末機器との間のリンクを含む。
【０１６５】
１つの実施例において、前記第１の端末機器はさらに送信ユニットを含み、当該送信ユニットは、前記第２の端末機器に対して切替コマンドを送信するために用いられ、前記切替コマンドは前記第２の切替方式を実行するように前記第２の端末機器に指示するために用いられる。
【０１６６】
１つの実施例において、確定ユニット９２０は具体的に、前記第１の端末機器及び前記第２の端末機器の状態、及び前記測定結果に基づき、前記第１の切替方式及び／又は前記第２の切替方式を確定するために用いられる。
【０１６７】
１つの実施例において、前記第１の端末機器が接続状態である場合、前記第１の切替方式は、前記第１の端末機器を前記第１のネットワーク機器によってカバーされるセルから第２のネットワーク機器によってカバーされるセルに切り替える、又は前記第１の端末機器がセルの切替を行わないことを含み、
前記第１の端末機器が非アクティブ状態又はアイドル状態である場合、前記第１の切替方式は、前記第１の端末機器が前記第２のネットワーク機器によってカバーされるセルをアクセス先セルとして再選択する、又は前記第１の端末機器がセルの再選択を行わないことを含み、
前記第２の端末機器が接続状態である場合、前記第２の切替方式は、前記第２の端末機器を前記第１のネットワーク機器によってカバーされるセルから前記第２のネットワーク機器によってカバーされるセルもしくは他のネットワーク機器によってカバーされるセルに切り替える、又は前記第２の端末機器がセルの切替を行わないことを含み、
前記第２の端末機器が非アクティブ状態又はアイドル状態である場合、前記第２の切替方式は、前記第２の端末機器が前記第２のネットワーク機器によってカバーされるセルもしくは他のネットワーク機器によってカバーされるセルをアクセス先セルとして再選択する、又は前記第２の端末機器がセルの再選択を行わないことを含む。
【０１６８】
１つの実施例において、前記確定ユニット９２０は具体的に、前記測定結果に基づき、前記第１の端末機器と前記第２の端末機器との間でリンク接続を保持するか否かを確定し、前記第１の端末機器と前記第２の端末機器との間でリンク接続を保持するか否かに基づき、前記第１の切替方式及び／又は前記第２の切替方式を確定するために用いられる。
【０１６９】
１つの実施例において、前記第１の端末機器が前記第１の端末機器と前記第２の端末機器との間でリンク接続を保持することを確定した場合、前記第１の端末機器が前記第１の切替方式を実行し且つ前記第２の端末機器が前記第２の切替方式を実行した後、前記第１の端末機器及び前記第２の端末機器は同一のネットワーク機器によってカバーされるセルに配置される。
【０１７０】
１つの実施例において、前記第１の端末機器が前記第１の端末機器と前記第２の端末機器との間でリンク接続を保持しないことを確定した場合、前記送信ユニットはさらに、前記第２の端末機器に対して解放指示情報を送信するためにも用いられ、前記解放指示情報は前記第１の端末機器との間のリンク接続を解放するように前記第２の端末機器に指示するために用いられる。
【０１７１】
１つの実施例において、取得ユニット９１０は具体的に、前記確定ユニット９２０が前記測定結果に基づき、前記第１の端末機器の第１の切替方式及び／又は前記第２の端末機器の第２の切替方式を確定する前に、前記第１の端末機器と前記第２の端末機器との間の関連情報を取得するために用いられ、前記関連情報は前記第１の端末機器と前記第２の端末機器との間のペアリング関係又は接続関係を含み、
前記確定ユニット９２０は具体的に、前記関連情報及び前記測定結果に基づき、前記第１の切替方式及び／又は前記第２の切替方式を確定するために用いられる。
【０１７２】
１つの実施例において、前記第１の端末機器が接続状態である場合、前記送信ユニットはさらに、前記第１のネットワーク機器に対して切替情報を送信するためにも用いられ、前記切替情報は、前記第１の切替方式の情報、前記第２の切替方式の情報及び前記測定結果のうちの少なくとも１種を含む。
【０１７３】
１つの実施例において、前記第１の端末機器はさらに受信ユニットを含み、当該受信ユニットは、前記確定ユニット９２０が前記測定結果に基づき、前記第１の端末機器の第１の切替方式及び／又は前記第２の端末機器の第２の切替方式を確定する前に、前記第１のネットワーク機器から送信される設定情報を受信するために用いられ、前記設定情報は、前記第１の端末機器の切替先セルの情報を優先して送信するように前記第１の端末機器に指示するために用いられ、前記切替先セルにより、前記第１の端末機器及び前記第２の端末機器は信号強度条件を満足し且つ同一のネットワーク機器によってカバーされるセルに配置される。
【０１７４】
１つの実施例において、前記第１の端末機器は中継端末機器であり、前記第２の端末機器は遠隔端末機器である、又は前記第１の端末機器は遠隔端末機器であり、前記第２の端末機器は中継端末機器である。
【０１７５】
１つの実施例において、前記リンクの測定結果は、前記リンクのリンク品質の測定結果、及び／又は前記リンクのリンク状態の測定結果を含む。
【０１７６】
１つの実施例において、前記取得ユニット９１０は具体的に、前記第１の端末機器と前記第１のネットワーク機器との間のリンクの測定結果を確定し、前記第２の端末機器から送信される前記第１のネットワーク機器と前記第２の端末機器との間のリンクの測定結果を受信するために用いられる。
【０１７７】
１つの実施例において、前記取得ユニット９１０は具体的に、前記第１の端末機器が前記第１の端末機器と第２の端末機器との間のリンクの測定結果を確定する、又は前記第１の端末機器が前記第２の端末機器から送信される前記第１の端末機器と前記第２の端末機器との間のリンクの測定結果を受信するために用いられる。
【０１７８】
１つの実施例において、前記取得ユニット９１０は具体的に、第１の端末機器が前記第２の端末機器から送信される、適合層又はダイレクトインタフェースプロトコルスタックＰＣ５に運ばれたリンクの測定結果を取得するために用いられる。
【０１７９】
図１０は本願の実施例による端末機器１０００を概略的に示すブロック図である。図１０に示すように、当該端末機器１０００は、取得ユニット１０１０、送信ユニット１０２０、及び処理ユニット１０３０を含む。
【０１８０】
取得ユニット１０１０は、リンクの測定結果を取得するために用いられ、前記リンクは前記第２の端末機器と第１のネットワーク機器との間のリンクの測定結果を含み、
送信ユニット１０２０は、前記第１の端末機器に対して前記取得ユニット１０１０によって取得された前記測定結果を送信するために用いられ、前記測定結果は前記第１の端末機器が前記第２の端末機器の第２の切替方式を確定するために用いられ、
処理ユニット１０３０は、前記第１の端末機器から送信される切替コマンドを受信し、前記切替コマンドに基づき、前記第２の切替方式を実行するために用いられる。
【０１８１】
従って、端末機器は、別の端末機器に対して自身のリンク情報を報告することにより、別の端末機器が２つの端末機器のリンク情報に基づき２つの端末機器の切替方式を決定することができるようにし、これにより、２つの端末機器はセルの切替又はセルの再選択が行われた後に、可能な限り同一のネットワーク機器によってカバーされるセルに配置される。これにより、中継端末及び遠隔端末がセルの切替を行った後、中継端末と遠隔端末との間で中継伝送を効果的に続行することができる。
【０１８２】
さらに、第１の切替方式及び第２の切替方式は端末機器によって確定されるため、端末機器が非アクティブ状態又はアイドル状態である場合、端末機器はネットワーク機器を介することなく、自らで切替方式を確定できるため、端末機器間のサービスの連続性がよりよく保証される。
【０１８３】
１つの実施例において、前記リンクはさらに、前記第１の端末機器と前記第２の端末機器との間のリンクを含む。
【０１８４】
１つの実施例において、前記第１の端末機器が接続状態である場合、前記第１の切替方式は、前記第１の端末機器を前記第１のネットワーク機器によってカバーされるセルから第２のネットワーク機器によってカバーされるセルに切り替える、又は前記第１の端末機器がセルの切替を行わないことを含み、
前記第１の端末機器が非アクティブ状態又はアイドル状態である場合、前記第１の切替方式は、前記第１の端末機器が前記第２のネットワーク機器によってカバーされるセルをアクセス先セルとして再選択する、又は前記第１の端末機器がセルの再選択を行わないことを含み、
前記第２の端末機器が接続状態である場合、前記第２の切替方式は、前記第２の端末機器を前記第１のネットワーク機器によってカバーされるセルから前記第２のネットワーク機器によってカバーされるセルもしくは他のネットワーク機器によってカバーされるセルに切り替える、又は前記第２の端末機器がセルの切替を行わないことを含み、
前記第２の端末機器が非アクティブ状態又はアイドル状態である場合、前記第２の切替方式は、前記第２の端末機器が前記第２のネットワーク機器によってカバーされるセルもしくは他のネットワーク機器によってカバーされるセルをアクセス先セルとして再選択する、又は前記第２の端末機器がセルの再選択を行わないことを含む。
【０１８５】
１つの実施例において、前記第１の端末機器が前記第１の端末機器と前記第２の端末機器との間でリンク接続を保持することを確定した場合、前記第２の端末機器が前記第２の切替方式を実行した後、前記第２の端末機器及び前記第１の端末機器は同一のネットワーク機器によってカバーされるセルに配置される。
【０１８６】
１つの実施例において、前記第１の端末機器が第１の端末機器と前記第２の端末機器との間でリンク接続を保持しないことを確定した場合、前記処理ユニット１０３０はさらに、前記第１の端末機器から送信される解放指示情報を受信し、前記解放指示情報に基づき、前記第１の端末機器との間のリンク接続を解放するためにも用いられる。
【０１８７】
１つの実施例において、前記第１の端末機器は中継端末機器であり、前記第２の端末機器は遠隔端末機器である、又は前記第１の端末機器は遠隔端末機器であり、前記第２の端末機器は中継端末機器である。
【０１８８】
１つの実施例において、前記リンクの測定結果は、前記リンクのリンク品質の測定結果、及び／又は前記リンクのリンク状態の測定結果を含む。
【０１８９】
１つの実施例において、前記送信ユニット１０２０は具体的に、前記第１の端末機器に対して、適合層又はダイレクトインタフェースプロトコルスタックＰＣ５に運ばれた前記測定結果を送信するために用いられる。
【０１９０】
図１１は本願の実施例によるネットワーク機器１１００を概略的に示すブロック図である。図１１に示すように、前記ネットワーク機器１１００は、受信ユニット１１１０及び処理ユニット１１２０を含む。
【０１９１】
受信ユニット１１１０は、第１の端末機器から送信される切替情報を受信するために用いられ、前記切替情報は、前記第１の端末機器によって確定された前記第１の端末機器の第１の切替方式、第２の端末機器の第２の切替方式及びリンクの測定結果のうちの少なくとも１種を含み、前記リンクは、前記第１の端末機器と前記第１のネットワーク機器との間のリンク、及び前記第２の端末機器と前記第１のネットワーク機器との間のリンクを含み、
処理ユニット１１２０は、前記受信ユニット１１１０によって受信された前記切替情報に基づき、前記第１の切替方式及び／又は前記第２の切替方式に対して確認するために用いられる。
【０１９２】
従って、ネットワーク機器は、端末機器から送信される、当該端末機器によって確定された切替方式の情報を受信した後、当該切替方式に対して確認することにより、中継端末機器及び遠隔端末機器のそれぞれの切替方式が適切であるか否かを判断する。端末機器によって確定された切替方式により、２つの端末機器はセルの切替又はセルの再選択が行われた後に、可能な限りそれぞれによってカバーされるセルに配置されるため、中継端末及び遠隔端末がセルの切替を行った後、中継端末と遠隔端末との間で効果的な中継伝送を続行することができる。
【０１９３】
１つの実施例において、前記リンクはさらに、前記第１の端末機器と前記第２の端末機器との間のリンクを含む。
【０１９４】
１つの実施例において、前記第１の切替方式は、前記第１の端末機器を前記第１のネットワーク機器によってカバーされるセルから前記第２のネットワーク機器によってカバーされるセルに切り替える、又は前記第１の端末機器がセルの切替を行わないことを含み、前記第２の切替方式は、前記第２の端末機器が前記第２のネットワーク機器によってカバーされるセルもしくは他のネットワーク機器によってカバーされるセルをアクセス先セルとして再選択する、又は前記第２の端末機器がセルの切替を行わないことを含む。
【０１９５】
１つの実施例において、前記第１のネットワーク機器はさらに送信ユニットを含み、当該送信ユニットは、前記端末機器に対して設定情報を送信するために用いられ、前記設定情報は、前記第１の端末機器の切替先セルの情報を優先して送信するように前記第１の端末機器に指示するために用いられ、前記切替先セルにより、前記第１の端末機器及び前記第２の端末機器は信号強度条件を満足し且つ同一のネットワーク機器によってカバーされるセルに配置される。
【０１９６】
１つの実施例において、前記リンクの測定結果は、前記リンクのリンク品質の測定結果、及び／又は前記リンクのリンク状態の測定結果を含む。
【０１９７】
１つの実施例において、前記第１の端末機器は中継端末機器であり、前記第２の端末機器は遠隔端末機器である、又は前記第１の端末機器は遠隔端末機器であり、前記第２の端末機器は中継端末機器である。
【０１９８】
図１２は本願の実施例による端末機器１２００の構造を概略的に示す図である。図１２に示すように、当該端末機器はプロセッサ１２１０、送受信器１２２０及びメモリ１２３０を含み、ただし、当該プロセッサ１２１０、送受信器１２２０及びメモリ１２３０は内部接続経路を介して互いに通信し合う。当該メモリ１２３０はコマンドを記憶するために用いられ、当該プロセッサ１２１０は、当該メモリ１２３０に記憶されているコマンドを実行することにより、当該送受信器１２２０が信号を送受信するように制御するために用いられる。
【０１９９】
ただし、当該プロセッサ１２１０は、リンクの測定結果を取得するために用いられ、前記リンクは、前記第１の端末機器と第１のネットワーク機器との間のリンク、及び前記第１のネットワーク機器と第２の端末機器との間のリンクを含み、前記プロセッサ１２１０は、前記取得ユニットによって取得された前記測定結果に基づき、前記第１の端末機器の第１の切替方式及び／又は前記第２の端末機器の第２の切替方式を確定するためにも用いられる。
【０２００】
１つの実施例において、当該プロセッサ１２１０は、メモリ１２３０に記憶されているプログラムコードを呼び出して、図４に示される方法４００における端末機器の対応する動作を実行することができ、説明の簡素化のために、ここでは贅言しない。
【０２０１】
なお、本願の実施例において、当該プロセッサ１２１０は中央処理装置（Ｃｅｎｔｒａｌ  Ｐｒｏｃｅｓｓｉｎｇ  Ｕｎｉｔ、「ＣＰＵ」と略称する）であってもよく、当該プロセッサ１２１０は他の汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブル論理部品、ディスクリートゲート又はトランジスタ論理部品、ディスクリートハードウェアコンポーネントなどであってもよい。汎用プロセッサはマイクロプロセッサであってもよく、又は当該プロセッサは任意の通常のプロセッサなどであってもよい。
【０２０２】
当該メモリ１２３０は、読み出し専用メモリ及びランダムアクセスメモリを含み、且つ、プロセッサ１２１０に対してコマンド及びデータを提供するものであってもよい。メモリ１２３０の一部には、不揮発性ランダムアクセスメモリが含まれてもよい。例えば、メモリ１２３０は機器のタイプ情報を記憶することもできる。
【０２０３】
実現するプロセスにおいて、上記方法の各ステップは、プロセッサ１２１０内のハードウェアの集積論理回路又はソフトウェア形式のコマンドによって完了することができる。本願の実施例において開示されている方法のステップはハードウェアのプロセッサが直接実行して完了されるものであってもよければ、又はプロセッサ１２１０内のハードウェア及びソフトウェアモジュールの組み合わせが実行して完了されるものであってもよい。ソフトウェアモジュールは、ランダムアクセスメモリ、フラッシュメモリ、読み出し専用メモリ、プログラマブル読み出し専用メモリ又は電気的消去可能プログラマブルメモリ、レジスタなどの本分野では成熟されている記憶媒体に配置されてもよい。当該記憶媒体はメモリ１２３０に配置され、プロセッサ１２１０はメモリ１２３０内の情報を読み取り、そのハードウェアと組み合わせて上記方法のステップを実行する。重複を避けるために、ここでは詳細に説明しない。
【０２０４】
本願の実施例による端末機器１２００は、前記方法４００で方法４００を実行するための端末機器、及び本願の実施例による端末機器９００に対応してもよく、且つ、当該端末機器１２００内の各ユニット又はモジュールのそれぞれは、前記方法４００で端末機器によって実行される各動作又は処理プロセスを実行するために用いられ、ここで、重複を避けるために、その詳細な説明を省略する。
【０２０５】
図１３は本願の実施例による端末機器１３００の構造を概略的に示す図である。図１３に示すように、当該端末機器はプロセッサ１３１０、送受信器１３２０及びメモリ１３３０を含み、ただし、当該プロセッサ１３１０、送受信器１３２０及びメモリ１３３０は内部接続経路を介して互いに通信し合う。当該メモリ１３３０はコマンドを記憶するために用いられ、当該プロセッサ１３１０は当該メモリ１３３０に記憶されているコマンドを実行することにより、当該送受信器１３２０が信号を送受信するように制御するために用いられる。
【０２０６】
ただし、当該プロセッサ１３１０は、リンクの測定結果を取得するために用いられ、前記リンクは前記第２の端末機器と第１のネットワーク機器との間のリンクの測定結果を含み、
当該送受信器１３２０は、前記第１の端末機器に対して前記取得ユニットによって取得された前記測定結果を送信するために用いられ、前記測定結果は、前記第１の端末機器が前記第２の端末機器の第２の切替方式を確定するために用いられ、当該送受信器１３２０は、前記第１の端末機器から送信される切替コマンドを受信するためにも用いられ、前記切替コマンドは、前記第２の切替方式を実行するように前記第２の端末機器に指示する。
当該プロセッサ１３１０はさらに、前記切替コマンドに基づき、前記第２の切替方式を実行するためにも用いられる。
【０２０７】
１つの実施例において、当該プロセッサ１３１０は、メモリ１３３０に記憶されているプログラムコードを呼び出して、図５に示される方法５００における端末機器の対応する動作を実行することができ、説明の簡素化のために、ここでは贅言しない。
【０２０８】
なお、本願の実施例において、当該プロセッサ１３１０は中央処理装置（Ｃｅｎｔｒａｌ  Ｐｒｏｃｅｓｓｉｎｇ  Ｕｎｉｔ、「ＣＰＵ」と略称する）であってもよく、当該プロセッサ１３１０は他の汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブル論理部品、ディスクリートゲート又はトランジスタ論理部品、ディスクリートハードウェアコンポーネントなどであってもよい。汎用プロセッサはマイクロプロセッサであってもよく、又は当該プロセッサは任意の通常のプロセッサなどであってもよい。
【０２０９】
当該メモリ１３３０は、読み出し専用メモリ及びランダムアクセスメモリを含み、且つ、プロセッサ１３１０に対してコマンド及びデータを提供するものであってもよい。メモリ１３３０の一部には、不揮発性ランダムアクセスメモリが含まれてもよい。例えば、メモリ１３３０は機器のタイプ情報を記憶することもできる。
【０２１０】
実現するプロセスにおいて、上記方法の各ステップは、プロセッサ１３１０内のハードウェアの集積論理回路又はソフトウェア形式のコマンドによって完了することができる。本願の実施例において開示されている方法のステップはハードウェアのプロセッサが直接実行して完了されるものであってもよければ、又はプロセッサ１３１０内のハードウェア及びソフトウェアモジュールの組み合わせが実行して完了されるものであってもよい。ソフトウェアモジュールは、ランダムアクセスメモリ、フラッシュメモリ、読み出し専用メモリ、プログラマブル読み出し専用メモリ、又は電気的消去可能プログラマブルメモリ、レジスタなどの本分野では成熟されている記憶媒体に配置されてもよい。当該記憶媒体はメモリ１３３０に配置され、プロセッサ１３１０はメモリ１３３０内の情報を読み取り、そのハードウェアと組み合わせて上記方法のステップを実行する。重複を避けるために、ここでは詳細に説明しない。
【０２１１】
本願の実施例による端末機器１３００は、前記方法５００で方法５００を実行するための端末機器、及び本願の実施例による端末機器１０００に対応してもよく、且つ、当該端末機器１３００内の各ユニット又はモジュールのそれぞれは、前記方法５００で端末機器によって実行される各動作又は処理プロセスを実行するために用いられ、ここで、重複を避けるために、その詳細な説明を省略する。
【０２１２】
図１４は本願の実施例によるネットワーク機器１４００の構造を概略的に示す図である。図１４に示すように、当該ネットワーク機器はプロセッサ１４１０、送受信器１４２０及びメモリ１４３０を含み、ただし、当該プロセッサ１４１０、送受信器１４２０及びメモリ１４３０は内部接続経路を介して互いに通信し合う。当該メモリ１４３０はコマンドを記憶するために用いられ、当該プロセッサ１４１０は、当該メモリ１４３０に記憶されているコマンドを実行することにより、当該送受信器１４２０が信号を送受信するように制御するために用いられる。
【０２１３】
ただし、当該送受信器１４２０は、第１の端末機器から送信される切替情報を受信するために用いられ、前記切替情報は、前記第１の端末機器によって確定される前記第１の端末機器の第１の切替方式、第２の端末機器の第２の切替方式及びリンクの測定結果のうちの少なくとも１種を含み、前記リンクは、前記第１の端末機器と前記第１のネットワーク機器との間のリンク、及び前記第２の端末機器と前記第１のネットワーク機器との間のリンクを含み、
当該プロセッサ１４１０は、前記受信ユニットによって受信される前記切替情報に基づき、前記第１の切替方式及び／又は前記第２の切替方式に対して確認するために用いられる。
【０２１４】
１つの実施例において、当該プロセッサ１４１０は、メモリ１４３０に記憶されているプログラムコードを呼び出して、図６に示される方法６００における端末機器の対応する動作を実行することができ、説明の簡素化のために、ここでは贅言しない。
【０２１５】
なお、本願の実施例において、当該プロセッサ１４１０は中央処理装置（Ｃｅｎｔｒａｌ  Ｐｒｏｃｅｓｓｉｎｇ  Ｕｎｉｔ、「ＣＰＵ」と略称する）であってもよく、当該プロセッサ１４１０は他の汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブル論理部品、ディスクリートゲート又はトランジスタ論理部品、ディスクリートハードウェアコンポーネントなどであってもよい。汎用プロセッサはマイクロプロセッサであってもよく、又は当該プロセッサは任意の通常のプロセッサなどであってもよい。
【０２１６】
当該メモリ１４３０は、読み出し専用メモリ及びランダムアクセスメモリを含み、且つ、プロセッサ１４１０に対してコマンド及びデータを提供するものであってもよい。メモリ１４３０の一部には、不揮発性ランダムアクセスメモリが含まれてもよい。例えば、メモリ１４３０は機器のタイプ情報を記憶することもできる。
【０２１７】
実現するプロセスにおいて、上記方法の各ステップは、プロセッサ１４１０内のハードウェアの集積論理回路又はソフトウェア形式のコマンドによって完了することができる。本願の実施例において開示されている方法のステップはハードウェアのプロセッサが直接実行して完了されるものであってもよければ、又はプロセッサ１４１０内のハードウェア及びソフトウェアモジュールの組み合わせが実行して完了されるものであってもよい。ソフトウェアモジュールは、ランダムアクセスメモリ、フラッシュメモリ、読み出し専用メモリ、プログラマブル読み出し専用メモリ、又は電気的消去可能プログラマブルメモリ、レジスタなどの本分野では成熟されている記憶媒体に配置されてもよい。当該記憶媒体はメモリ１４３０に配置され、プロセッサ１４１０はメモリ１４３０内の情報を読み取り、そのハードウェアと組み合わせて上記方法のステップを実行する。重複を避けるために、ここでは詳細に説明しない。
【０２１８】
本願の実施例によるネットワーク機器１４００は、前記方法６００で方法６００を実行するためのネットワーク機器、及び本願の実施例によるネットワーク機器１１００に対応してもよく、且つ、当該ネットワーク機器１４００内の各ユニット又はモジュールのそれぞれは、前記方法６００でネットワーク機器によって実行される各動作又は処理プロセスを実行するために用いられ、ここで、重複を避けるために、その詳細な説明を省略する。
【０２１９】
図１５は本願の実施例によるシステムチップの構造を概略的に示す図である。図１５のシステムチップ１５００は、入力インタフェース１５０１、出力インタフェース１５０２、少なくとも１つのプロセッサ１５０３、及びメモリ１５０４を含み、前記入力インタフェース１５０１、出力インタフェース１５０２、前記プロセッサ１５０３及びメモリ１５０４は内部接続経路を介して互いに接続される。前記プロセッサ１５０３は前記メモリ１５０４内のコードを実行するために用いられる。
【０２２０】
１つの実施例において、前記コードが実行される時、前記プロセッサ１５０３は方法の実施例において端末機器によって実行される方法４００を実現できる。説明の簡素化のために、ここでは贅言しない。
【０２２１】
１つの実施例において、前記コードが実行される時、前記プロセッサ１５０３は方法の実施例において端末機器によって実行される方法５００を実現できる。説明の簡素化のために、ここでは贅言しない。
【０２２２】
１つの実施例において、前記コードが実行される時、前記プロセッサ１５０３は方法の実施例においてネットワーク機器によって実行される方法６００を実現できる。説明の簡素化のために、ここでは贅言しない。
【０２２３】
当業者であれば分かるように、本明細書で開示されている各実施例において説明される例示的なユニット、アルゴリズム及びステップは、電子ハードウェア、又はコンピュータソフトウェアと電子ハードウェアの組み合わせにより実現することができる。これらの機能はハードウェアかソフトウェアの形式で実行されるかは、該当技術的解決手段の特定の用途及び設計上の制限条件により決定される。当業者は特定の用途ごとに異なる方法を用いて説明される関連機能を実現することができ、そのような実現は、本願の範囲を超えるものとは見なされない。
【０２２４】
当業者であれば分かるように、説明の便宜上及び説明の簡素化のために、上記のように説明されるシステム、装置及びユニットの具体的な動作のプロセスは、上記方法の実施例における対応するプロセスを参照することができ、ここでは贅言しない。
【０２２５】
なお、本願によって提供されるいくつかの実施例で開示されているシステム、装置及び方法は、その他の形態によっても実現できる。例えば、上記のように説明される装置の実施例は、あくまでも例示的なものに過ぎず、各ユニットの区分は、論理上の機能区分に過ぎず、実現させる際は別の形態での区分も可能であり、例えば、複数のユニット又はコンポーネントを別のシステムに組み合わせるもしくは集積させる、又は一部の特徴を反映させず、実行しなかったりしてもよい。また、図示される又は上記のように説明される直接的な接続又は通信接続などは、いくつかのインタフェース、装置又はユニットによる間接的な接続又は通信接続であってもよく、電気的形態、機械的形態又は他の形態であってもよい。
【０２２６】
分離される部品として説明される上記ユニットは、物理的に分離されるものであっても、そうでないものであってもよく、ユニットとして表示される各部品は、物理的なユニットであってもそうでなくてもよく、すなわち、同一の場所に配置されるものであっても、複数のネットワークユニットに配置されるものであってもよい。実際には、必要に応じて、そのうちの一部を選択するか、又は全てのユニットで本実施例の目的を達成することができる。
【０２２７】
また、本願の各実施例において、各機能ユニットは１つの処理ユニットに集積されてもよいが、各ユニットは単独で物理的な部品として存在するか、又は２つ以上のユニットは１つのユニットに集積されてもよい。
【０２２８】
当該機能は、ソフトウェアの機能ユニットの形式で実現され、且つ、独立した製品として販売又は使用される場合、コンピュータ可読記憶媒体に記憶されてもよい。そのような理解を踏まえ、本願の技術的解決手段、すなわち従来技術に対して貢献がある部分又は当該技術的解決手段の部分は、ソフトウェア製品の形式で実施されてもよい。当該コンピュータソフトウェア製品は、記憶媒体に記憶されており、コンピュータデバイス（パソコン、サーバ、又はネットワーク機器など）が本願の各実施例の方法の全て又は一部のステップを実行するためのいくつかのコマンドを含む。上記記憶媒体は、ＵＳＢフラッシュメモリ、モバイルハードディスク、読み出し専用メモリ（Ｒｅａｄ−Ｏｎｌｙ  Ｍｅｍｏｒｙ、「ＲＯＭ」と略称する）、ランダムアクセスメモリ（Ｒａｎｄｏｍ  Ａｃｃｅｓｓ  Ｍｅｍｏｒｙ、「ＲＡＭ」と略称する）、磁気ディスク又は光ディスクなど、プロクラムコードを記憶可能な各種の媒体を含む。
【０２２９】
以上に記載の内容は、本願の具体的な実施形態に過ぎず、本願の実施例による保護範囲はこれに限定されるものではなく、当業者が本願で開示されている技術範囲において容易に想到し得る変更又は置換は、いずれも本願の個人用途の保護範囲に含まれるものとする。従って、本願の実施例による保護範囲は、特許請求の範囲により決定される。
【図１】
0006918962.tif 000002
【図２（ａ）】
0006918962.tif 000003
【図２（ｂ）】
0006918962.tif 000004
【図３】
0006918962.tif 000005
【図４】
0006918962.tif 000006
【図５】
0006918962.tif 000007
【図６】
0006918962.tif 000008
【図７】
0006918962.tif 000009
【図８】
0006918962.tif 000010
【図９】
0006918962.tif 000011
【図１０】
0006918962.tif 000012
【図１１】
0006918962.tif 000013
【図１２】
0006918962.tif 000014
【図１３】
0006918962.tif 000015
【図１４】
0006918962.tif 000016
【図１５】
0006918962.tif 000017